(57)【要約】ウェイクアップ信号（ＷＵＳ）の反復を決定するための方法、ネットワークノード及び無線デバイスを開示する。一態様によれば、無線デバイス（ＷＤ）において実行される方法は、ネットワークノードの送信アンテナ構成に関する情報を決定することと、ＷＤのアクティビティレベルに関する情報を決定することと、送信アンテナ構成及びアクティビティレベルに基づいて、ウェイクアップ信号（ＷＵＳ）反復回数を決定することと、決定された回数のＷＵＳ反復を少なくとも含むＷＵＳ信号を受信することと、を含む。ネットワークノードにおいて実行される方法は、無線デバイス（ＷＤ）のアクティビティレベルに関する情報を取得することと、送信アンテナ構成を選択することと、送信アンテナ構成及びアクティビティレベルに基づいて、ウェイクアップ信号（ＷＵＳ）反復回数を決定することと、決定された回数のＷＵＳ反復を少なくとも含むＷＵＳ信号を送信することと、を含む。
2021535659.tif 000002
【特許請求の範囲】
【請求項１】
ネットワークノード（１６）と通信するように構成された無線デバイス（ＷＤ）（２２）であって、前記ＷＤ（２２）は処理回路（８４）を備え、当該処理回路（８４）は前記ＷＤ（２２）に、
前記ネットワークノード（１６）の送信アンテナ構成に関する情報を決定することと、
前記ＷＤ（２２）のアクティビティレベルに関する情報を決定することと、
前記送信アンテナ構成及び前記アクティビティレベルに基づいた回数のＷＵＳ反復を含むＷＵＳ信号を受信することと、
を行わせるように構成されている、ＷＤ。
【請求項２】
請求項１に記載のＷＤ（２２）であって、前記処理回路（８４）は更に、前記ＷＤ（２２）に、
前記送信アンテナ構成及び前記アクティビティレベルに基づいて、ウェイクアップ信号（ＷＵＳ）反復回数を決定することと、
ＷＵＳ信号を受信することと、を行わせるように構成されており、前記ＷＵＳ信号は、前記決定された回数のＷＵＳ反復を少なくとも含む、ＷＤ。
【請求項３】
請求項１又は２に記載のＷＤ（２２）であって、前記処理回路（８４）は更に、前記ＷＤ（２２）に、
前記ＷＵＳ信号が受信された場合に、制御チャネルを監視させるように構成されている、ＷＤ。
【請求項４】
請求項１、２及び３のいずれか１項に記載のＷＤ（２２）であって、前記処理回路（８４）は更に、前記ＷＤ（２２）に、前記決定されたＷＵＳ反復回数に従って前記ＷＵＳ信号を復号させるように構成されるように構成されることによって、前記ＷＤ（２２）に、前記ＷＵＳ信号を受信させるように構成されている、ＷＤ。
【請求項５】
請求項４に記載のＷＤ（２２）であって、前記処理回路（８４）は更に、前記ＷＤ（２２）に、前記決定されたＷＵＳ反復回数に等しい回数受信されたＷＵＳ送信を合成させるように構成されることによって、前記ＷＤ（２２）に、前記決定されたＷＵＳ反復回数に従って前記ＷＵＳ信号を復号させるように構成されている、ＷＤ。
【請求項６】
請求項１乃至５のいずれか１項に記載のＷＤ（２２）であって、前記アクティビティレベルは間欠受信（ＤＲＸ）サイクル長である、ＷＤ。
【請求項７】
請求項６に記載のＷＤ（２２）であって、前記処理回路（８４）は更に、前記ＷＤ（２２）に、反復回数をＤＲＸサイクル長にマッピングするテーブルから前記ＷＵＳ反復回数を選択させるように構成されることによって、前記ＷＤ（２２）に、前記送信アンテナ構成及び前記アクティビティレベルに基づいて前記ＷＵＳ反復回数を決定させるように構成されている、ＷＤ。
【請求項８】
請求項７に記載のＷＤ（２２）であって、前記ＷＵＳ反復回数が選択される前記テーブルは、前記ＷＤ（２２）のカバレッジレベルが拡張されるかどうかに依存する、ＷＤ。
【請求項９】
請求項８に記載のＷＤ（２２）であって、前記ＷＵＳ反復回数が受信信号品質及び受信信号強度のうちの１つに依存するように、前記カバレッジレベルは前記受信信号品質及び前記受信信号強度のうちの１つとして表される、ＷＤ。
【請求項１０】
請求項１乃至９のいずれか１項に記載のＷＤ（２２）であって、前記ネットワークノード（１６）の前記送信アンテナ構成に関する前記情報は、前記ＷＵＳ信号を送信するために前記ネットワークノード（１６）によって使用される送信アンテナの数を含む、ＷＤ。
【請求項１１】
請求項１０に記載のＷＤ（２２）であって、前記送信アンテナの数は、１送信アンテナ及び２送信アンテナのうちの１つである、ＷＤ。
【請求項１２】
請求項１乃至１１のいずれか１項に記載のＷＤ（２２）であって、前記処理回路（８４）は更に、前記ＷＤ（２２）に、前記アクティビティレベルが、５．１２秒に等しい、５．１２秒より大きい、及び５．１２秒より小さい、のうちの１つであることに基づいて、前記ＷＵＳ反復回数を決定させることによって、前記ＷＤ（２２）に、前記ＷＵＳ反復回数を決定させるように構成されている、ＷＤ。
【請求項１３】
請求項１乃至１２のいずれか１項に記載のＷＤ（２２）であって、前記ＷＤ（２２）は、マシンタイプ通信（ＭＴＣ）ＷＤ、及び狭帯域インターネット・オブ・シングス（ＮＢ−ＩｏＴ）ＷＤのうちの１つである、ＷＤ。
【請求項１４】
無線デバイス（ＷＤ）（２２）と通信するように構成されたネットワークノード（１６）であって、前記ネットワークノード（１６）は処理回路（６８）を備え、当該処理回路（６８）は前記ネットワークノード（１６）に、
前記ＷＤ（２２）のアクティビティレベルに関する情報を取得することと、
送信アンテナ構成を選択することと、
前記送信アンテナ構成及び前記アクティビティレベルに基づいて、ウェイクアップ信号（ＷＵＳ）反復回数を決定することと、
ＷＵＳ信号を送信することと、を行わせるように構成されており、前記ＷＵＳ信号は、前記決定された回数のＷＵＳ反復を少なくとも含む、ネットワークノード。
【請求項１５】
請求項１４に記載のネットワークノード（１６）であって、前記処理回路（６８）は更に、前記ネットワークノード（１６）に、制御チャネルが送信される場合に前記ＷＵＳ信号を送信させるように構成されている、ネットワークノード。
【請求項１６】
請求項１４又は１５に記載のネットワークノード（１６）であって、前記処理回路（６８）は更に、前記ネットワークノード（１６）に、
前記ＷＵＳ信号の送信の後に、前記制御チャネルを送信させるように構成されている、ネットワークノード。
【請求項１７】
請求項１４乃至１６のいずれか１項に記載のネットワークノード（１６）であって、
前記選択された送信アンテナ構成は、前記ＷＵＳ信号を送信するために使用される、ある数の送信アンテナを含み、
前記処理回路（６８）は更に、前記ネットワークノード（１６）に、前記数の送信アンテナを使用して前記ＷＵＳ信号を送信することによって前記ＷＵＳ信号を送信することを行わせるように構成されている、ネットワークノード。
【請求項１８】
請求項１４乃至１７のいずれか１項に記載のネットワークノード（１６）であって、前記処理回路（６８）は更に、前記ネットワークノード（１６）に、
前記選択された送信アンテナ構成に関する情報を、前記ＷＤ（２２）へ送信させるように構成されている、ネットワークノード。
【請求項１９】
請求項１４乃至１８のいずれか１項に記載のネットワークノード（１６）であって、前記ＷＤ（２２）の前記アクティビティレベルは間欠受信（ＤＲＸ）サイクル長である、ネットワークノード。
【請求項２０】
請求項１９に記載のネットワークノード（１６）であって、前記処理回路（６８）は更に、前記ＷＤ（１６）に、反復回数をＤＲＸサイクル長にマッピングするテーブルから前記ＷＵＳ反復回数を選択させるように構成されることによって、前記ネットワークノード（１６）に、前記送信アンテナ構成及び前記アクティビティレベルに基づいて前記ＷＵＳ反復回数を決定させるように構成されている、ネットワークノード。
【請求項２１】
請求項２０に記載のネットワークノード（１６）であって、前記ＷＵＳ反復回数が選択される前記テーブルは、前記ＷＤ（２２）のカバレッジレベルが拡張されるかどうかに依存する、ネットワークノード。
【請求項２２】
請求項２１に記載のネットワークノード（１６）であって、前記ＷＵＳ反復回数が受信信号品質及び受信信号強度のうちの１つに依存するように、前記カバレッジレベルは前記受信信号品質及び前記受信信号強度のうちの１つとして表される、ネットワークノード。
【請求項２３】
請求項１４乃至２２のいずれか１項に記載のネットワークノード（１６）であって、前記選択された送信アンテナ構成は、前記ＷＵＳ信号を送信するために選択された数の送信アンテナを含む、ネットワークノード。
【請求項２４】
請求項２３に記載のネットワークノード（１６）であって、前記選択された送信アンテナの数は、１送信アンテナ及び２送信アンテナのうちの１つである、ネットワークノード。
【請求項２５】
請求項１４乃至２４のいずれか１項に記載のネットワークノード（１６）であって、前記処理回路（６８）は更に、前記ネットワークノード（１６）に、前記アクティビティレベルが、５．１２秒に等しい、５．１２秒より大きい、及び５．１２秒より小さい、のうちの１つであることに基づいて、前記ＷＵＳ反復回数を決定させることによって、前記ネットワークノード（１６）に、前記ＷＵＳ反復回数を決定させるように構成されている、ネットワークノード。
【請求項２６】
請求項１４乃至２５のいずれか１項に記載のネットワークノード（１６）であって、前記ＷＤ（２２）は、マシンタイプ通信（ＭＴＣ）ＷＤ、及び狭帯域インターネット・オブ・シングス（ＮＢ−ＩｏＴ）ＷＤのうちの１つである、ネットワークノード。
【請求項２７】
無線デバイス（ＷＤ）（２２）において実行される方法であって、前記方法は、
ネットワークノード（１６）の送信アンテナ構成に関する情報を決定すること（Ｓ１４２）と、
前記ＷＤ（２２）のアクティビティレベルに関する情報を決定すること（Ｓ１４４）と、
前記送信アンテナ構成及び前記アクティビティレベルに基づいた回数のＷＵＳ反復を含むＷＵＳ信号を受信すること（Ｓ１４８）と、
を含む、方法。
【請求項２８】
請求項２６に記載の方法であって、更に、
前記送信アンテナ構成及び前記アクティビティレベルに基づいて、ウェイクアップ信号（ＷＵＳ）反復回数を決定すること（Ｓ１４６）と、
ＷＵＳ信号を受信すること（Ｓ１４８）と、を含み、前記ＷＵＳ信号は、前記決定された回数のＷＵＳ反復を少なくとも含む、方法。
【請求項２９】
請求項２７又は２８に記載の方法であって、更に、
前記ＷＵＳ信号が受信された場合に、制御チャネルを監視することを含む、方法。
【請求項３０】
請求項２７、２８及び２９のいずれか１項に記載の方法であって、前記ＷＵＳ信号を受信することは更に、
前記決定されたＷＵＳ反復回数に従って前記ＷＵＳ信号を復号することを含む、方法。
【請求項３１】
請求項３０に記載の方法であって、前記決定されたＷＵＳ反復回数に従って前記ＷＵＳ信号を復号することは更に、
前記決定されたＷＵＳ反復回数に等しい回数受信されたＷＵＳ送信を合成することを含む、方法。
【請求項３２】
請求項２７乃至３１のいずれか１項に記載の方法であって、前記アクティビティレベルは間欠受信（ＤＲＸ）サイクル長である、方法。
【請求項３３】
請求項３２に記載の方法であって、前記送信アンテナ構成及び前記アクティビティレベルに基づいて前記ＷＵＳ反復回数を決定することは更に、
テーブルから前記ＷＵＳ反復回数を選択することを含み、前記テーブルは反復回数をＤＲＸサイクル長にマッピングする、方法。
【請求項３４】
請求項３３に記載の方法であって、前記ＷＵＳ反復回数が選択される前記テーブルは、前記ＷＤ（２２）のカバレッジレベルが拡張されるかどうかに依存する、方法。
【請求項３５】
請求項３４に記載の方法であって、前記ＷＵＳ反復回数が受信信号品質及び受信信号強度のうちの１つに依存するように、前記カバレッジレベルは前記受信信号品質及び前記受信信号強度のうちの１つとして表される、方法。
【請求項３６】
請求項２７乃至３５のいずれか１項に記載の方法であって、前記ネットワークノード（１６）の前記送信アンテナ構成に関する前記情報は、前記ＷＵＳ信号を送信するために前記ネットワークノード（１６）によって使用される送信アンテナの数を含む、方法。
【請求項３７】
請求項３６に記載の方法であって、前記送信アンテナの数は、１送信アンテナ及び２送信アンテナのうちの１つである、方法。
【請求項３８】
請求項２７乃至３７のいずれか１項に記載の方法であって、前記ＷＵＳ反復回数を決定することは更に、前記アクティビティレベルが、５．１２秒に等しい、５．１２秒より大きい、及び５．１２秒より小さい、のうちの１つであることに基づいて、前記ＷＵＳ反復回数を決定することを含む、方法。
【請求項３９】
請求項２７乃至３８のいずれか１項に記載の方法であって、前記ＷＤ（２２）は、マシンタイプ通信（ＭＴＣ）ＷＤ、及び狭帯域インターネット・オブ・シングス（ＮＢ−ＩｏＴ）ＷＤのうちの１つである、方法。
【請求項４０】
ネットワークノード（１６）において実行される方法であって、前記方法は、
無線デバイス（ＷＤ）（２２）のアクティビティレベルに関する情報を取得すること（Ｓ１３４）と、
送信アンテナ構成を選択すること（Ｓ１３６）と、
前記送信アンテナ構成及び前記アクティビティレベルに基づいて、ウェイクアップ信号（ＷＵＳ）反復回数を決定すること（Ｓ１３８）と、
ＷＵＳ信号を送信すること（Ｓ１４０）と、を含み、前記ＷＵＳ信号は、前記決定された回数のＷＵＳ反復を少なくとも含む、方法。
【請求項４１】
請求項４０に記載の方法であって、前記ＷＵＳ信号を送信することは更に、制御チャネルが送信される場合に前記ＷＵＳ信号を送信することを含む、方法。
【請求項４２】
請求項４０又は４１に記載の方法であって、更に、
前記ＷＵＳ信号の送信の後に、前記制御チャネルを送信することを含む、方法。
【請求項４３】
請求項４０乃至４２のいずれか１項に記載の方法であって、
前記選択された送信アンテナ構成は、前記ＷＵＳ信号を送信するために使用される、ある数の送信アンテナを含み、
前記ＷＵＳ信号を送信することは更に、前記数の送信アンテナを使用して前記ＷＵＳ信号を送信することを含む、方法。
【請求項４４】
請求項４０乃至４３のいずれか１項に記載の方法であって、更に、
前記選択された送信アンテナ構成に関する情報を、前記ＷＤ（２２）へ送信することを含む、方法。
【請求項４５】
請求項４０乃至４４のいずれか１項に記載の方法であって、前記ＷＤ（２２）の前記アクティビティレベルは間欠受信（ＤＲＸ）サイクル長である、方法。
【請求項４６】
請求項４５に記載の方法であって、前記送信アンテナ構成及び前記アクティビティレベルに基づいて前記ＷＵＳ反復回数を決定することは更に、
テーブルから前記ＷＵＳ反復回数を選択することを含み、前記テーブルは反復回数をＤＲＸサイクル長にマッピングする、方法。
【請求項４７】
請求項４６に記載の方法であって、前記ＷＵＳ反復回数が選択される前記テーブルは、前記ＷＤ（２２）のカバレッジレベルが拡張されるかどうかに依存する、方法。
【請求項４８】
請求項４７に記載の方法であって、前記ＷＵＳ反復回数が受信信号品質及び受信信号強度のうちの１つに依存するように、前記カバレッジレベルは前記受信信号品質及び前記受信信号強度のうちの１つとして表される、方法。
【請求項４９】
請求項４０乃至４８のいずれか１項に記載の方法であって、前記選択された送信アンテナ構成は、前記ＷＵＳ信号を送信するために選択された数の送信アンテナを含む、方法。
【請求項５０】
請求項４９に記載の方法であって、前記選択された送信アンテナの数は、１送信アンテナ及び２送信アンテナのうちの１つである、方法。
【請求項５１】
請求項４０乃至５０のいずれか１項に記載の方法であって、前記ＷＵＳ反復回数を決定することは更に、前記アクティビティレベルが、５．１２秒に等しい、５．１２秒より大きい、及び５．１２秒より小さい、のうちの１つであることに基づいて、前記ＷＵＳ反復回数を決定することを含む、方法。
【請求項５２】
請求項４０乃至５１のいずれか１項に記載の方法であって、前記ＷＤ（２２）は、マシンタイプ通信（ＭＴＣ）ＷＤ、及び狭帯域インターネット・オブ・シングス（ＮＢ−ＩｏＴ）ＷＤのうちの１つである、方法。
【発明の詳細な説明】
【技術分野】
【０００１】
本開示は無線通信に関し、特に、例えば伝送方式及び無線デバイス（ＷＤ）アクティビティレベルに基づいて、ウェイクアップ信号の反復を適応させることに関する。
【背景技術】
【０００２】
最近、第３世代パートナーシッププロジェクト（３ＧＰＰ）では、マシンツーマシン（Ｍ２Ｍ）及び／又はインターネット・オブ・シングス（ＩｏＴ）関連のユースケースをカバーする技術を規定することに多くの作業がなされている。３ＧＰＰリリース１３及び１４のための作業は、６つの物理リソースブロック（ＰＲＢ）の低減された帯域幅（Ｃａｔ−Ｍ２用に最大２４ＰＲＢ）をサポートする、新たなＷＤカテゴリ（Ｃａｔ−Ｍ１、Ｃａｔ−Ｍ２）でマシンタイプ通信（ＭＴＣ）をサポートし、新たな無線インタフェース（及びＷＤカテゴリ、Ｃａｔ−ＮＢ１及びＣａｔ−ＮＢ２）を提供する狭帯域ＩｏＴ（ＮＢ−ＩｏＴ）ＷＤをサポートするための拡張を含む。
【０００３】
Long Term Evolution（ＬＴＥ）の拡張が、ＭＴＣ用の３ＧＰＰリリース１３、１４及び１５において「ｅＭＴＣ」として導入されており、帯域幅が制限されたＷＤ、Ｃａｔ−Ｍ１のサポート、及びカバレッジ拡張のためのサポートを含む。これは、ＮＢ−ＩｏＴ（任意のリリースに使用される表記法）から議論を分けるためであるが、サポートされる機能は一般的なレベルで同様である。
【０００４】
「レガシー」ＬＴＥデバイスと、ｅＭＴＣ用及びＮＢ−ＩｏＴ用に規定された手順及びチャネルとの間には、複数の違いがある。いくつかの重要な違いには、ｅＭＴＣではＭＰＤＣＣＨと呼ばれ、ＮＢ−ＩｏＴではＮＰＤＣＣＨと呼ばれる物理ダウンリンク制御チャネル等の、新たな物理チャネルと、ＮＢ−ＩｏＴ用の新たな物理ランダムアクセスチャネルであるＮＰＲＡＣＨとが含まれる。別の違いは、これらの技術がサポートしうる（カバレッジ拡張レベルとしても知られる）カバレッジレベルである。送信された信号及びチャネルに反復を適用することによって、ｅＭＴＣ及びＮＢ−ＩｏＴの両方は、ＷＤがＬＴＥと比較して非常に低い信号対雑音比（ＳＮＲ）レベルで動作することを可能にし、即ち、「レガシー」ＬＴＥについての−６ｄＢのＥｓ／ＩｏＴと比較されうるｅＭＴＣ及びＮＢ−ＩｏＴについての最低動作点である、Ｅｓ／ＩｏＴ≧−１５ｄＢで動作することを可能にする。
【０００５】
３ＧＰＰリリース１５では、ｅＭＴＣのためのＮＢ−ＩｏＴ及びＲｅｌ−１５の両方の拡張のために承認された作業項目（ＷＩ：work items）に共通の目的が存在する。ＮＢ−ＩｏＴの説明は以下の通りである：
Ａ．（ワーキンググループ（ＷＧ）ごとのＴＵ割り当てに従って）無線アクセスネットワーク（ＲＡＮ）＃７５から開始し、ＲＡＮ＃７８による完了に向けて尽力するために、以下の目標に取り組む：
●更なる待ち時間及び消費電力の低減、及び
●物理チャネルの消費電力の低減
ａ）アイドルモード・ページング及び／又は接続モード間欠受信（ＤＲＸ）、ＮＰＤＣＣＨ／ＮＰＤＳＣＨを復号する前に効率的に復号又は検出されうる物理信号／チャネルについて検討し、有益であることがわかった場合には規定する。［ＲＡＮ１，ＲＡＮ２，ＲＡＮ４］
また、ｅＭＴＣについても同様の記述である：
消費電力の改善：
●物理チャネルの消費電力の低減［ＲＡＮ１ リード，ＲＡＮ２，ＲＡＮ４］
ａ）物理ダウンリンク制御／データチャネルを復号する前に効率的に復号又は検出されうる物理信号／チャネルについて検討し、アイドルモードページング及び／又は接続モードＤＲＸに有益であることがわかった場合には規定する。
【０００６】
「ウェイクアップ信号」（ＷＵＳ：Wake-up signal）は、ダウンリンク（ＤＬ）制御チャネル、例えば、フルＭＰＤＣＣＨ（ｅＭＴＣ）又はＮＰＤＣＣＨ（ＮＢ−ＩｏＴ）を復号し続けるべきであることをＷＤに知らせるショート信号の送信に基づいている。そのような信号が存在しない（間欠送信（ＤＴＸ）、即ち、ＷＤがそれを検出しない）場合、ＷＤは、ＤＬ制御チャネルを復号することなくスリープに戻りうる。ＷＵＳについての復号時間は、フルＭＰＤＣＣＨ又はＮＰＤＣＣＨの復号時間よりもかなりより短い。これにより、ＷＤの消費電力が低減され、ＷＤバッテリーの寿命が長くなる（これはＲ１−１７０６８８７に提示されている）。「ウェイクアップ信号」（ＷＵＳ）は、ＷＤに対するページングがある場合にのみ送信されるであろう。しかし、ＷＤに対するページングがない場合、ＷＵＳは送信されず（即ち、間欠送信（ＤＴＸ）を意味する）、ＷＤは、例えばＷＵＳの代わりにＤＴＸを検出すると、スリープに戻るであろう。
【０００７】
ｅＭＴＣ及びＮＢ−ＩｏＴのカバレッジ
ｅＭＴＣ及びＮＢ−ＩｏＴの両方におけるセルカバレッジは、メッセージを送信するために使用されるＤＬチャネル（例えば、ＭＰＤＣＣＨ、物理ダウンリンク共有チャネル（ＰＤＳＣＨ）、ＮＰＤＣＣＨ、ＮＰＤＳＣＨ等）の最大反復回数（Ｒｍａｘ）によって制御される。Ｒｍａｘ値は、１から２０４８までの値で定義されてよく、次の値は前の値の２倍である。特定の反復回数Ｒのカバレッジは、Ｒｍａｘに依存するだけでなく、メッセージサイズにも依存し、これは、より長いメッセージは通常、同じカバレッジであれば、少ないＲと比較して高いＲを必要とするためである。ｘＰＤＣＣＨ（ｅＭＴＣ用のＭＰＤＣＣＨ及びＮＢ−ＩｏＴ用のＮＰＤＣＣＨ）を使用するページングメッセージは、典型的には所与のセルについて同じサイズであり（しかし、そのメッセージの同じ反復回数ではない）、一定の最大カバレッジを提供する。
【０００８】
ＤＲＸサイクル動作
ＬＴＥでは、ＷＤによるバッテリーの電力の節約を可能にするために、ＤＲＸサイクルが使用される。ＤＲＸサイクルは、無線リソース制御（ＲＲＣ）アイドル状態で使用されるが、ＲＲＣ接続状態でも使用可能である。ＲＲＣアイドル状態で現在使用されているＤＲＸサイクル長の例は、３２０ｍｓ、６４０ｍｓ、１．２８秒（ｓ）及び２．５６ｓである。ＲＲＣ接続状態で現在使用されているＤＲＸサイクルの長さの例は、２ｍｓ〜２．５６ｓの範囲でありうる。拡張ＤＲＸ（ｅＥＲＸ：enhanced DRX）サイクルは、非常に長く、例えば、数秒から数分、更には１時間以上に及ぶことが予想される。ｅＤＲＸサイクルの典型的な値は、４〜１０分の間でありうる。
【０００９】
ＤＲＸサイクルは、ネットワークノードによって設定され、以下のパラメータによって特徴付けられうる：
●オン持続時間（On duration）：ＤＲＸサイクルのオン持続時間中に、ネットワークノードによって設定される「onDurationTimer」と呼ばれるタイマーが動作している。このタイマーは、ＤＲＸサイクルの始めにおける連続する制御チャネルサブフレーム（例えば、ＰＤＣＣＨ、ｅＰＤＣＣＨサブフレーム）の数を特定する。これは、ＤＲＸ ＯＮ期間（DRX ON period）とも互換的に呼ばれる。より具体的には、ＷＤが制御チャネル（例えば、ＰＤＣＣＨ、ｅＰＤＣＣＨ）を受信するためにＤＲＸからウェイクアップした後のダウンリンクサブフレームにおける持続時間である。ＷＤがＯＮ持続時間中に制御チャネル（例えば、ＰＤＣＣＨ、ｅＰＤＣＣＨ）の復号に成功した場合、ＷＤは、ＤＲＸ非アクティビティタイマー（以下を参照）を始動し、その満了まで起きたままである。onDurationTimerが動作中である場合、ＷＤは、ＤＲＸサイクルのＤＲＸ状態にあるとみなされる。
●ＤＲＸ非アクティブタイマー：このタイマーは、制御チャネル（ＰＤＣＣＨ等）がこのメディアアクセス制御（ＭＡＣ）エンティティの初期アップリンク（ＵＬ）又はＤＬユーザデータ送信を示すサブフレームの後の、連続する制御チャネル（ＰＤＣＣＨ、ｅＰＤＣＣＨ等）サブフレームの数を特定する。また、ネットワークノードによって設定される。ＤＲＸ非アクティビティタイマーが動作中である場合、ＷＤは、非ＤＲＸ状態にあるとみなされ、即ち、ＤＲＸは使用されない。
●アクティブ時間：この時間は、ＷＤが制御チャネル（例えば、ＰＤＣＣＨ、ｅＰＤＣＣＨ）を監視する持続時間である。言い換えれば、これは、ＷＤが起きている間の総持続時間である。これには、ＤＲＸサイクルの「オン持続時間」、非アクティブタイマが満了していない間にＷＤが連続受信を実行している時間、及び、１つのハイブリッド自動再送要求（ＨＡＲＱ）ラウンドトリップ時間（ＲＴＴ）後のＤＬ再送信を待っている間にＷＤが連続受信を実行している時間が含まれる。最小アクティブ時間はオン持続時間の長さに等しく、最大アクティブ時間は未定義（無限大）である。
【００１０】
図１には、ＤＲＸサイクルのＤＲＸオン持続時間及びＤＲＸオフ持続時間の例を示している。図２には、ＬＴＥにおけるより詳細なパラメータを用いたＤＲＸ動作を示している。
【００１１】
本明細書で説明するＤＲＸ設定は、拡張（enhanced）又は拡大（extended）ＤＲＸ（ｅＤＲＸ）設定であってもよい。レガシーＤＲＸ関連手順では、ＷＤは、最大２．５６秒のＤＲＸサイクル長を設定されうる。しかし、拡大ＤＲＸ（ｅＤＲＸ）をサポートするＷＤは、少なくとも２．５６秒よりも長く、かつ、典型的には２．５６秒よりもかなり長い、即ち、数秒から数分のオーダーのＤＲＸサイクルを設定されうる。ｅＤＲＸ設定パラメータには、ｅＤＲＸサイクル長、ページングウィンドウ長（ページング時間ウィンドウ（ＰＴＷ）長とも呼ばれる）等が含まれる。ｅＤＲＸのＰＴＷ内で、ＷＤは、１つ以上のレガシーＤＲＸサイクルを更に設定される。
【００１２】
上述のように、ウェイクアップ信号（ＷＵＳ）は、ｅＭＴＣ及びＮＢ−ＩｏＴの両方に対して３ＧＰＰリリース１５において導入された。それ故に、ＷＤは、本明細書では略してｘＰＤＣＣＨと呼ばれるＭＰＤＣＣＨ（ｅＭＴＣの場合）及びＮＰＤＣＣＨ（ＮＢ−ＩｏＴの場合）の検出を更に試みるべきかどうかを知るために、ウェイクアップしてＷＵＳの受信を試みる。ＷＵＳは、後続のｘＰＤＣＣＨが送信される場合にのみ送信されるので、ほとんどの場合、ＷＤが検出する信号はない。
【００１３】
ｅＭＴＣ ＷＤ及びＮＢ−ＩｏＴ ＷＤの両方は、異なるカバレッジ拡張レベルの下で動作することができ、異なるＷＤアクティビティレベル、いわゆるＤＲＸサイクル長を設定されることができる。ＷＵＳの復号に成功するための所要反復回数は、カバレッジレベルと共に増加し、またＤＲＸサイクル長と共に増加する。現在の仕様では、ＷＵＳの適用によるゲインを改善するために、例えば、ＷＤ消費電力とネットワークリソース利用との間の良好なトレードオフに至るために、どのようにＷＵＳが送信及び受信されるべきかについて規定されていない。ネットワーク内でＷＵＳが適切に設定されていない又はあまり適切ではない場合、ＷＤに到達するために多数回の反復が必要になる可能性があるため、ネットワークにとって非常にコストがかかる可能性がある。この結果、ネットワークノード及びＷＤの消費電力が増大する可能性があるとともに、他のＷＤにサービスを提供するために、又は他の信号／チャネルを送信するためにリソースを使用することができないため、リソースが浪費される可能性がある。また、反復回数が多いと、頻繁な送信に起因するアクティビティの増加に起因して、干渉が増加する可能性がある。
【発明の概要】
【００１４】
いくつかの実施形態は、伝送方式及び無線デバイス（ＷＤ）アクティビティレベルに基づいて、ウェイクアップ信号の反復を適応させるための方法、ネットワークノード、及び無線デバイスを有利に提供する。いくつかの実施形態は、以下の利点のうちの１つ以上を有しうる：
●ネットワーク／ＷＤ消費電力の低減、及びＷＤにおけるＷＵＳのより早い検出をもたらしうる、特定のシナリオの下でのより少ない反復を使用するＷＵＳの送信；
●ネットワークリソースの効率的な使用；
●干渉の低減；及び／又は
●ネットワーク容量の拡張。
【００１５】
一態様によれば、ネットワークノードは、無線デバイス（ＷＤ）アクティビティレベル及び送信アンテナ構成に基づいて、ＷＵＳ反復回数を決定するように構成された処理回路を備える。処理回路は更に、ＷＤに、決定されたＷＵＳ反復回数の決定に従ってＷＵＳを繰り返し送信させるように構成される。
【００１６】
第１のネットワーク（ＮＷ）実施形態の第１の態様では、ネットワークノードは、少なくとも、送信アンテナ構成及びＷＤアクティビティレベルに関する情報を決定し、この情報に基づいて、セル内でＷＵＳ信号を送信するためのウェイクアップ信号（ＷＵＳ）送信パラメータ（例えば、ＷＵＳ反復回数）を適応させ、決定された送信パラメータを使用してセル内でＷＵＳ信号を送信する。アクティビティレベルは、ＤＲＸサイクル構成及びＷＤビットレートのうちの１つ以上を含んでよく、より高いアクティビティレベルと比較して、より低いアクティビティがより少ない同期を意味するよう、ＷＤのネットワーク同期の状態についてのインジケーションである。送信アンテナ構成情報は、例えば、ある信号／チャネル（例えば、ＷＵＳ）を送信するためにサービスネットワークノードにおいて使用される送信アンテナの数を含みうる。
【００１７】
ネットワークノードは、少なくとも２つの異なるアンテナ構成をサポートしうる。ネットワークノードは、ネットワークノードによってサポートされる異なる複数のアンテナ構成のうちの１つを使用した信号の送信をサポートしうる。例えば、第１の送信アンテナ構成及び第２の送信アンテナ構成は、それぞれ１送信アンテナ及び２送信アンテナを含みうる。別の例では、第２の送信アンテナ構成は、２つより多い送信アンテナ（例えば４アンテナ等）を含みうる。本明細書におけるＷＵＳ送信方法の適応処理は、ＷＵＳ送信方法間での変更又は修正又は切り替え（例えば、ＷＵＳを送信するために使用される反復回数を変更すること、ＷＵＳを送信するために使用される送信アンテナの数の変更を、当初計画された送信方法又は以前に使用された方法と比べて変更すること）を含む。これにより、ＷＵＳを送信するために不必要に多くの（場合によっては極端な）反復回数を使用する問題を解決できる。
【００１８】
第１のＷＤ実施形態の第１の態様では、ＷＤは、セル内で使用される送信アンテナ構成及びＷＤアクティビティレベルに関する情報を少なくとも決定し、この情報に基づいて、セル内でＷＵＳ信号を送信するために使用されるＷＵＳ送信パラメータ（例えば、ＷＵＳ反復回数）に関する情報を取得し、取得された情報に基づいて、セル内でＷＵＳ信号を受信する。アクティビティレベルは、ネットワークノードの実施形態で説明するのと同じパラメータのうちの１つ以上を含みうる。これを達成するために、ＷＤは、ＷＤによってサポートされる複数ＷＤ受信機構成又は手順又は方法のうちの１つを選択することによって、ＷＵＳの検出を試みうる。例えば、ＷＤは、そのアクティビティレベル及び送信アンテナ構成に関連付けられた、決定されたＷＵＳ反復レベルに基づく少なくとも２つの受信手順（例えば手順Ａ及び手順Ｂ）のうちの１つを使用しうる。例えば、手順Ａは、ネットワークノードの複数の送信アンテナのうちの１つからＷＵＳを受信するために使用される。手順Ｂでは、ＷＤは、例えば、異なる時間リソースで異なるアンテナ間での切り替えを行うことによって、又は異なるアンテナからの信号を合成すること等によって、少なくとも２つの送信アンテナからＷＵＳを受信する。
【００１９】
本開示のある態様によれば、ネットワークノード（１６）と通信するように構成された無線デバイス（ＷＤ）が提供される。ＷＤ（２２）は、処理回路（８４）を備え、当該処理回路は、ＷＤ（２２）に、ネットワークノード（１６）の送信アンテナ構成に関する情報を決定（例えば、受信）させるように構成されている。処理回路は更に、ＷＤに、ＷＤのアクティビティレベルに関する情報を決定させるように構成される。処理回路は更に、ある回数のウェイクアップ信号（ＷＵＳ）反復を受信するように構成されており、当該反復回数は、決定された送信アンテナ構成及びアクティビティレベルに基づいている（即ち、依存している）。
【００２０】
本開示の一態様によれば、ネットワークノードと通信するように構成された無線デバイス（ＷＤ）が提供される。ＷＤは、処理回路を備える。処理回路は更に、ＷＤに、ネットワークノードの送信アンテナ構成に関する情報を決定させるように構成される。処理回路は更に、ＷＤに、ＷＤのアクティビティレベルに関する情報を決定させるように構成される。処理回路は更に、ＷＤに、送信アンテナ構成及びアクティビティレベルに基づいて、ウェイクアップ信号（ＷＵＳ）反復回数を決定させるように構成される。処理回路は更に、ＷＤに、ＷＵＳ信号を受信させるように構成されており、当該ＷＵＳ信号は、少なくとも決定された回数のＷＵＳ反復を含む。
【００２１】
この態様のいくつかの実施形態では、処理回路は更に、ＷＤに、ＷＵＳ信号が受信された場合に制御チャネルを監視させるように構成されている。この態様のいくつかの実施形態では、処理回路は更に、ＷＤに、決定されたＷＵＳ反復回数に従ってＷＵＳ信号を復号させるように構成されることによって、ＷＤに、ＷＵＳ信号を受信させるように構成されている。この態様のいくつかの実施形態では、処理回路は更に、ＷＤに、決定されたＷＵＳ反復回数に等しい回数受信されたＷＵＳ送信を合成させるように構成されることによって、ＷＤに、決定されたＷＵＳ反復回数に従ってＷＵＳ信号を復号させるように構成されている。この態様のいくつかの実施形態では、アクティビティレベルは、間欠受信（ＤＲＸ）サイクル長である。この態様のいくつかの実施形態では、処理回路は更に、ＷＤに、テーブルからＷＵＳ反復回数を選択させるように構成されることによって、ＷＤに、送信アンテナ構成及びアクティビティレベルに基づいてＷＵＳ反復回数を決定させるように構成されており、当該テーブルは、反復回数をＤＲＸサイクル長にマッピングする。この態様のいくつかの実施形態では、当該テーブルからＷＵＳ反復回数が選択され、当該テーブルはＷＤのカバレッジレベルが拡張されるかどうかに依存する。この態様のいくつかの実施形態では、ＷＵＳ反復回数が受信信号品質及び受信信号強度のうちの１つに依存するように、カバレッジレベルは受信信号品質及び受信信号強度のうちの１つとして表される。
【００２２】
この態様のいくつかの実施形態では、ネットワークノードの送信アンテナ構成に関する情報は、ＷＵＳ信号を送信するためにネットワークノード１６によって使用される、ある数の送信アンテナを含む。この態様のいくつかの実施形態では、送信アンテナの数は、１送信アンテナ及び２送信アンテナのうちの１つである。この態様のいくつかの実施形態では、処理回路は更に、ＷＤに、アクティビティレベルが、５．１２秒に等しい、５．１２秒より大きい、及び５．１２秒より小さい、のうちの１つであることに基づいて、ＷＵＳ反復回数を決定させることによって、ＷＤに、ＷＵＳ反復回数を決定させるように構成されている。この態様のいくつかの実施形態では、ＷＤは、マシンタイプ通信（ＭＴＣ）ＷＤ、及び狭帯域インターネット・オブ・シングス（ＮＢ−ＩｏＴ）ＷＤのうちの１つである。
【００２３】
本開示の別の態様によれば、無線デバイス（ＷＤ）と通信するように構成されたネットワークノードが提供される。ネットワークノードは、処理回路を備える。処理回路は、ネットワークノードに、ＷＤのアクティビティレベルに関する情報を取得させるように構成される。処理回路は、ネットワークノードに、送信アンテナ構成を選択させるように構成される。処理回路は、ネットワークノードに、送信アンテナ構成及びアクティビティレベルに基づいて、ウェイクアップ信号（ＷＵＳ）反復回数を決定させるように構成される。処理回路は、ネットワークノードに、ＷＵＳ信号を送信させるように構成されており、当該ＷＵＳ信号は、決定された回数のＷＵＳ反復（例えば、決定された回数のＷＵＳ反復を含むＷＵＳ信号）を少なくとも含む。
【００２４】
この態様のいくつかの実施形態では、処理回路は更に、ネットワークノードに、制御チャネルが送信される場合にＷＵＳ信号を送信させるように構成されている。この態様のいくつかの実施形態では、処理回路は更に、ネットワークノードに、ＷＵＳ信号の送信の後に、制御チャネルを送信させるように構成されている。この態様のいくつかの実施形態では、選択された送信アンテナ構成は、ＷＵＳ信号を送信するために使用される数の送信アンテナを含み、処理回路は更に、その数の送信アンテナを使用してＷＵＳ信号を送信するように構成されることによって、ネットワークノードにＷＵＳ信号を送信させるように構成されている。この態様のいくつかの実施形態では、処理回路は更に、ネットワークノードに、選択された送信アンテナ構成に関する情報をＷＤに送信させるように構成されている。この態様のいくつかの実施形態では、ＷＤのアクティビティレベルは、間欠受信（ＤＲＸ）サイクル長である。この態様のいくつかの実施形態では、処理回路は更に、ネットワークノードに、テーブルからＷＵＳ反復回数を選択させるように構成されることによって、ネットワークノードに、送信アンテナ構成及びアクティビティレベルに基づいてＷＵＳ反復回数を決定させるように構成されており、当該テーブルは、反復回数をＤＲＸサイクル長にマッピングする。この態様のいくつかの実施形態では、当該テーブルからＷＵＳ反復回数が選択され、当該テーブルはＷＤのカバレッジレベルが拡張されるかどうかに依存する。この態様のいくつかの実施形態では、ＷＵＳ反復回数が受信信号品質及び受信信号強度のうちの１つに依存するように、カバレッジレベルは受信信号品質及び受信信号強度のうちの１つとして表される。
【００２５】
この態様のいくつかの実施形態では、選択された送信アンテナ構成は、ＷＵＳ信号を送信するために選択された数の送信アンテナを含む。この態様のいくつかの実施形態では、選択された送信アンテナの数は、１送信アンテナ及び２送信アンテナのうちの１つである。この態様のいくつかの実施形態では、処理回路は更に、ネットワークノードに、アクティビティレベルが、５．１２秒に等しい、５．１２秒より大きい、及び５．１２秒より小さい、のうちの１つであることに基づいて、ＷＵＳ反復回数を決定させることによって、ネットワークノードに、ＷＵＳ反復回数を決定させるように構成されている。この態様のいくつかの実施形態では、ＷＤは、マシンタイプ通信（ＭＴＣ）ＷＤ、及び狭帯域インターネット・オブ・シングス（ＮＢ−ＩｏＴ）ＷＤのうちの１つである。
【００２６】
一態様では、無線デバイス（ＷＤ）において実行される方法が提供される。本方法は、ネットワークノードの送信アンテナ構成に関する情報を決定することを含む。本方法は、ＷＤのアクティビティレベルに関する情報を決定することを含む。ＷＤは、ある回数のウェイクアップ信号（ＷＵＳ）反復を受信し、当該反復回数は、決定された送信アンテナ構成及びアクティビティレベルに基づいている（即ち、依存している）。
【００２７】
本開示の別の態様によれば、無線デバイス（ＷＤ）において実行される方法が提供される。本方法は、ネットワークノードの送信アンテナ構成に関する情報を決定することを含む。本方法は、ＷＤのアクティビティレベルに関する情報を決定することを含む。本方法は、送信アンテナ構成及びアクティビティレベルに基づいて、ウェイクアップ信号（ＷＵＳ）反復回数を決定することを含む。本方法は、ＷＵＳ信号を受信することを含み、当該ＷＵＳ信号は、決定された回数のＷＵＳ反復を含む。
【００２８】
この態様のいくつかの実施形態では、本方法は更に、ＷＵＳ信号が受信された場合に制御チャネルを監視することを含む。この態様のいくつかの実施形態では、ＷＵＳ信号を受信することは更に、決定されたＷＵＳ反復回数に従ってＷＵＳ信号を復号することを含む。この態様のいくつかの実施形態では、決定されたＷＵＳ反復回数に従ってＷＵＳ信号を復号することは更に、決定されたＷＵＳ反復回数に等しい回数受信されたＷＵＳ送信を合成することを含む。この態様のいくつかの実施形態では、アクティビティレベルは、間欠受信（ＤＲＸ）サイクル長である。この態様のいくつかの実施形態では、送信アンテナ構成及びアクティビティレベルに基づいてＷＵＳ反復回数を決定することは更に、テーブルからＷＵＳ反復回数を選択することを含み、当該テーブルは反復回数をＤＲＸサイクル長にマッピングする。この態様のいくつかの実施形態では、当該テーブルからＷＵＳ反復回数が選択され、当該テーブルはＷＤのカバレッジレベルが拡張されるかどうかに依存する。この態様のいくつかの実施形態では、ＷＵＳ反復回数が受信信号品質及び受信信号強度のうちの１つに依存するように、カバレッジレベルは受信信号品質及び受信信号強度のうちの１つとして表される。
【００２９】
この態様のいくつかの実施形態では、ネットワークノードの送信アンテナ構成に関する情報は、ＷＵＳ信号を送信するためにネットワークノード１６によって使用される、ある数の送信アンテナを含む。この態様のいくつかの実施形態では、送信アンテナの数は、１送信アンテナ及び２送信アンテナのうちの１つである。この態様のいくつかの実施形態では、ＷＵＳ反復回数を決定することは更に、アクティビティレベルが、５．１２秒に等しい、５．１２秒より大きい、及び５．１２秒より小さい、のうちの１つであることに基づいて、ＷＵＳ反復回数を決定することを含む。この態様のいくつかの実施形態では、ＷＤは、マシンタイプ通信（ＭＴＣ）ＷＤ、及び狭帯域インターネット・オブ・シングス（ＮＢ−ＩｏＴ）ＷＤのうちの１つである。
【００３０】
本開示の更に別の態様によれば、ネットワークノードにおいて実行される方法が提供される。本方法は、無線デバイス（ＷＤ）のアクティビティレベルに関する情報を取得することを含む。本方法は、送信アンテナ構成を選択することを含む。本方法は、送信アンテナ構成及びアクティビティレベルに基づいて、ウェイクアップ信号（ＷＵＳ）反復回数を決定することを含む。本方法は、ＷＵＳ信号を送信することを含み、当該ＷＵＳ信号は、決定された回数のＷＵＳ反復を含む。
【００３１】
この態様のいくつかの実施形態では、ＷＵＳ信号を送信することは、制御チャネルが送信される場合にＷＵＳ信号を送信することを更に含む。この態様のいくつかの実施形態では、本方法は更に、ＷＵＳ信号を送信した後に制御チャネルを送信することを含む。この態様のいくつかの実施形態では、選択された送信アンテナ構成は、ＷＵＳ信号を送信するために使用される、ある数の送信アンテナを含み、ＷＵＳ信号を送信することは更に、その数の送信アンテナを使用してＷＵＳ信号を送信することを含む。この態様のいくつかの実施形態では、本方法は更に、選択された送信アンテナ構成に関する情報をＷＤに送信することを含む。この態様のいくつかの実施形態では、ＷＤのアクティビティレベルは、間欠受信（ＤＲＸ）サイクル長である。この態様のいくつかの実施形態では、送信アンテナ構成及びアクティビティレベルに基づいてＷＵＳ反復回数を決定することは更に、テーブルからＷＵＳ反復回数を選択することを含み、当該テーブルは反復回数をＤＲＸサイクル長にマッピングする。この態様のいくつかの実施形態では、当該テーブルからＷＵＳ反復回数が選択され、当該テーブルはＷＤのカバレッジレベルが拡張されるかどうかに依存する。この態様のいくつかの実施形態では、ＷＵＳ反復回数が受信信号品質及び受信信号強度のうちの１つに依存するように、カバレッジレベルは受信信号品質及び受信信号強度のうちの１つとして表される。
【００３２】
この態様のいくつかの実施形態では、選択された送信アンテナ構成は、ＷＵＳ信号を送信するために選択された数の送信アンテナを含む。この態様のいくつかの実施形態では、選択された送信アンテナの数は、１送信アンテナ及び２送信アンテナのうちの１つである。この態様のいくつかの実施形態では、ＷＵＳ反復回数を決定することは更に、アクティビティレベルが、５．１２秒に等しい、５．１２秒より大きい、及び５．１２秒より小さい、のうちの１つであることに基づいて、ＷＵＳ反復回数を決定することを含む。この態様のいくつかの実施形態では、ＷＤは、マシンタイプ通信（ＭＴＣ）ＷＤ、及び狭帯域インターネット・オブ・シングス（ＮＢ−ＩｏＴ）ＷＤのうちの１つである。
【図面の簡単な説明】
【００３３】
添付の図面と併せて以下の詳細な説明を参照することにより、本実施形態、並びにその付随する利点及び特徴のより完全な理解がより容易に理解されるのであろう。
【００３４】
【図１】図１は、ＤＲＸサイクルの、例示的なＤＲＸ ＯＮ持続時間及びＤＲＸ ＯＦＦ持続時間の図である。
【図２】図２は、ＬＴＥにおけるより詳細なパラメータを伴うＤＲＸ動作の図である。
【図３】図３は、本開示の原理による、中間ネットワークを介してホストコンピュータに接続された通信システムを示す例示的なネットワークアーキテクチャの概略図である。
【図４】図４は、本開示のいくつかの実施形態による、少なくとも部分的に無線コネクション上で、ネットワークノードを介して無線デバイスと通信するホストコンピュータのブロック図である。
【図５】図５は、本開示のいくつかの実施形態による、無線デバイスにおいてクライアントアプリケーションを実行するための、ホストコンピュータ、ネットワークノード、及び無線デバイスを含む通信システムにおいて実行される例示的な方法を示すフローチャートである。
【図６】図６は、本開示のいくつかの実施形態による、無線デバイスにおいてユーザデータを受信するための、ホストコンピュータ、ネットワークノード、及び無線デバイスを含む通信システムにおいて実行される例示的な方法を示すフローチャートである。
【図７】図７は、本開示のいくつかの実施形態による、ホストコンピュータにおいて無線デバイスからユーザデータを受信するための、ホストコンピュータ、ネットワークノード、及び無線デバイスを含む通信システムにおいて実行される例示的な方法を示すフローチャートである。
【図８】図８は、本開示のいくつかの実施形態による、ホストコンピュータにおいてユーザデータを受信するための、ホストコンピュータ、ネットワークノード、及び無線デバイスを含む通信システムにおいて実行される例示的な方法を示すフローチャートである。
【図９】図９は、本開示のいくつかの実施形態による、ネットワークノードにおける例示的なプロセスのフローチャートである。
【図１０】図１０は、本開示のいくつかの実施形態による、無線デバイスにおける例示的なプロセスのフローチャートである。
【図１１】図１１は、本開示のいくつかの実施形態による、無線デバイスにおける例示的なプロセスのフローチャートである。
【図１２】図１２は、本開示のいくつかの実施形態による、ネットワークノードにおける例示的なプロセスのフローチャートである。
【図１３】図１３は、本開示のいくつかの実施形態による、１．２８秒（ｓ）のＤＲＸサイクルに対するＷＵＳ受信性能についての送信ダイバーシチシミュレーション結果を示す。
【図１４】図１４は、本開示のいくつかの実施形態による、２．５６秒のＤＲＸサイクルに対するＷＵＳ受信性能についての送信ダイバーシチシミュレーション結果を示す。
【図１５】図１５は、本開示のいくつかの実施形態による、５．１２秒のＤＲＸサイクルに対するＷＵＳ受信性能についての送信ダイバーシチシミュレーション結果を示す。
【図１６】図１６は、本開示のいくつかの実施形態による、１０．２４秒のＤＲＸサイクルに対するＷＵＳ受信性能についての送信ダイバーシチシミュレーション結果を示す。
【図１７】図１７は、本開示のいくつかの実施形態による、１．２８秒のＤＲＸサイクルに対するＷＵＳ受信性能についての単一アンテナベースのＷＵＳ送信シミュレーション結果を示す。
【図１８】図１８は、本開示のいくつかの実施形態による、２．５６秒のＤＲＸサイクルに対するＷＵＳ受信性能に対する単一アンテナベースのＷＵＳ送信シミュレーション結果を示す。
【図１９】図１９は、本開示のいくつかの実施形態による、５．１２秒のＤＲＸサイクルに対するＷＵＳ受信性能についての単一アンテナベースのＷＵＳ送信シミュレーション結果を示す。
【図２０】図２０は、本開示のいくつかの実施形態による、１０．２４秒のＤＲＸサイクルに対するＷＵＳ受信性能に対する単一アンテナベースのＷＵＳ送信シミュレーション結果を示す。
【発明を実施するための形態】
【００３５】
例示的な実施形態を詳細に説明する前に、実施形態は、伝送方式及び無線デバイス（ＷＤ）アクティビティレベルに基づいてウェイクアップ信号の反復を適応させることに関連する装置コンポーネント及び処理ステップの組み合わせに主に存在することに留意されたい。したがって、コンポーネントは、適切な場合には図面中の慣習的な記号によって表されており、本明細書における説明の恩恵を受ける当業者には容易に明らかになる詳細によって本開示を不明瞭にしないように、実施形態の理解に関連する特定の詳細のみを示す。同様の参照符号は説明全体にわたって同様のエレメントを参照する。
【００３６】
本明細書で使用されるように、「第１の」及び「第２の」、「最上部」及び「最下部」等の関係を示す用語は、必ずしもそのようなエンティティ又はエレメント間の物理的又は論理的関係又は順序を必要とせずに又は暗示することなく、１つのエンティティ又はエレメントを別のエンティティ又はエレメントから区別するためにのみ使用されうる。本明細書で使用される用語は、特定の実施形態を記載するためだけのものであり、本明細書に記載の概念を限定することを意図していない。本明細書で使用される場合、単数形「a」、「an」及び「the」は、文脈がそれ以外を明確に示さない限り、複数形も含むことを意図している。本明細書で使用される場合、「comprises（備える／含む）」、「comprising（備える／含む）」、「includes（備える／含む）」及び／又は「including（備える／含む）」との用語は、記載された特徴、整数、ステップ、動作、エレメント、及び／又はコンポーネントの存在を特定するが、１つ以上の他の特徴、整数、ステップ、動作、エレメント、コンポーネント、及び／それらのグループの存在又は追加を排除しないものと更に理解されよう。
【００３７】
本明細書に記載の実施形態において、「in communication with（と通信している）」等の結合用語は、例えば、物理的接触、誘導、電磁放射、無線シグナリング、赤外線シグナリング、又は光シグナリングによって達成されうる、電気通信又はデータ通信を示すために使用されうる。当業者であれば複数のコンポーネントが相互動作しうること、並びに電気通信及びデータ通信を実現するための修正及び変形が可能であることを理解するであろう。
【００３８】
本明細書に記載のいくつかの実施形態において、「結合された（coupled）」、「接続された（connected）」等の用語は、必ずしも直接ではないが、コネクションを示すために本明細書で使用されうるとともに、有線コネクション及び／又は無線コネクションを含みうる。
【００３９】
本明細書で使用される「ネットワークノード」との用語は、無線ネットワークに含まれる任意の種類のネットワークノードでありうる。当該ネットワークノードは、基地局（ＢＳ）、無線基地局、基地トランシーバ局（ＢＴＳ）、基地局コントローラ（ＢＳＣ）、無線ネットワークコントローラ（ＲＮＣ）、ｇノードＢ（ｇＮＢ）、進化型ノードＢ（ｅＮＢ又はｅノードＢ）、ノードＢ、ＭＳＲ ＢＲ等のマルチスタンダード無線（ＭＳＲ）無線ノード、マルチセル／マルチキャスト調整エンティティ（ＭＣＥ）、リレーノード、統合アクセス及びバックホール（ＩＡＢ）ノード、リレーを制御するドナーノード、無線アクセスポイント（ＡＰ）、送信ポイント、送信ノード、リモート無線ユニット（ＲＲＵ）リモート無線ヘッド（ＲＲＨ）、コアネットワークノード（例えば、モバイル管理エンティティ（ＭＭＥ）、自己組織化ネットワーク（ＳＯＮ）ノード、調整ノード、測位ノード、ＭＤＴノード等）、外部ノード（例えば、サードパーティノード、現在のネットワークの外部のノード）、分散アンテナシステム（ＤＡＳ）内のノード、スペクトルアクセスシステム（ＳＡＳ）ノード、エレメント管理システム（ＥＭＳ）等のうちのいずれかを更に含みうる。ネットワークノードはまた、試験装置を備えてもよい。本明細書で使用される「無線ノード」との用語は、無線デバイス（ＷＤ）又は無線ネットワークノード等の無線デバイス（ＷＤ）を示すためにも使用されうる。
【００４０】
いくつかの実施形態では、無線デバイス（ＷＤ）又はユーザ装置（ＵＥ）という非限定的な用語が互いに代替可能に使用される。本明細書のＷＤ（又はＵＥ）は、無線デバイス（ＷＤ）等の、無線信号でネットワークノード又は別のＷＤと通信できる任意のタイプの無線デバイスでありうる。ＷＤはまた、無線通信デバイス、ターゲットデバイス、デバイス・ツー・デバイス（Ｄ２Ｄ）ＷＤ、マシン・ツー・マシン通信（Ｍ２Ｍ）が可能なマシンタイプＷＤ若しくはＷＤ、低コスト及び／又は低複雑度ＷＤ、ＷＤを備えるセンサ、タブレット、モバイル端末、スマートフォン、laptop embedded equipped（ＬＥＥ）、 laptop mounted equipment（ＬＭＥ）、ＵＳＢドングル、カスタマ構内設備（ＣＰＥ：Customer Premises Equipment）、Internet of Things（ＩｏＴ）デバイス、又は狭帯域ＩｏＴ（ＮＢ−ＩｏＴ）デバイス等であってもよい。
【００４１】
また、いくつかの実施形態では、「無線ネットワークノード」との一般的な用語が使用される。これは、基地局、無線基地局、基地トランシーバ局、基地局コントローラ、ネットワークコントローラ、ＲＮＣ、進化型ノードＢ（ｅＮＢ）、ノードＢ、ｇＮＢ、マルチセル／マルチキャスト調整エンティティ（ＭＣＥ）、リレーノード、ＩＡＢノード、アクセスポイント、無線アクセスポイント、リモート無線ユニット（ＲＲＵ）リモート無線ヘッド（ＲＲＨ）のいずれかを備えうる任意の種類の無線ネットワークノードでありうる。
【００４２】
例えば、３ＧＰＰ ＬＴＥ及び／又はNew Radio（ＮＲ）のような、１つの特定の無線システムからの用語が本開示において使用されうるが、これは本開示の範囲を前述のシステムのみに限定するものとみなされるべきではないことに留意されたい。例えば、ＬＴＥに言及している開示は、ＮＲにも適用可能でありうる。本開示の例は更に、Wide Band Code Division Multiple Access（ＷＣＤＭＡ(登録商標)）、Worldwide Interoperability for Microwave Access（ＷｉＭａｘ）、Ultra Mobile Broadband（ＵＭＢ）、及びGlobal System for Mobile Communications（ＧＳＭ）を含むがこれらに限定されない他の無線システムに適用されてもよく、これらは本開示内でカバーされるアイデアを利用することから恩恵をうることができる。
【００４３】
更に、無線デバイス又はネットワークノードによって実行されるとして本明細書に記載される機能は、複数の無線デバイス及び／又はネットワークノード上に分散されてもよいことに留意されたい。言い換えると、本明細書に記載のネットワークノード及び無線デバイスの機能は、単一の物理デバイスによる実行に限定されず、実際にはいくつかの物理デバイス間で分散されてもよいことが考えられる。
【００４４】
別段の定義がない限り、本明細書で使用される全ての用語（技術用語及び科学用語を含む）は、本開示が属する技術分野の当業者によって一般に理解されるものと同じ意味を有する。更に、本明細書において使用される用語は本明細書及び関連技術の文脈における意味と一致する意味を有するものとして解釈されるべきであり、本明細書で明示的に定義されない限り、理想化された又は過度に形式的な意味で解釈されるべきではないことが理解されるであろう。
【００４５】
実施形態はＬＴＥについて記載され、例えばＭＴＣ及びＮＢ−ＩｏＴについて記載されている。しかしながら、実施形態は、ＷＤが信号（例えば、データ）を受信及び／又は送信する任意のＲＡＴ又はマルチＲＡＴシステムに適用可能であり、例えば、ＬＴＥ周波数分割複信（ＦＤＤ）／時分割複信（ＴＤＤ）、広帯域符号分割多元接続（ＷＣＤＭＡ(登録商標)）／高速パケットアクセス（ＨＳＰＡ）、global system for mobile communications（ＧＳＭ）／ＧＳＭエッジ無線アクセスネットワーク（ＧＥＲＡＮ）、ＷｉＦｉ、無線ローカルエリアネットワーク（ＷＬＡＮ）、ＣＤＭＡ２０００、第５世代（５Ｇ）、New Radio（ＮＲ）等に適用可能である。
【００４６】
本明細書で使用される「時間リソース」という用語は、時間の長さに関して表現される任意のタイプの物理リソース又は無線リソースに対応しうる。時間リソースの例は、シンボル、ミニスロット、タイムスロット、サブフレーム、無線フレーム、送信時間間隔（ＴＴＩ）、ショートＴＴＩ、インタリービング時間等である。
【００４７】
第１のセル（セル１）によってサービスが行われているＷＤを含むシナリオでは、セル１がネットワークノード（ＮＷ１）（例えば基地局）によって管理されるか、又はサービスが行われるか、又は運用される。ＷＤは、あるセルに関して（例えば、セル１に関して）、あるカバレッジ拡張（ＣＥ：coverage enhancement）レベルで動作する。ＷＤは、少なくともセル１から信号（ページング、ＷＵＳ、ＮＰＤＣＣＨ、ＮＰＤＣＣＨ、ＭＰＤＳＣＨ、ＰＤＳＣＨ等）を受信するように構成されている。ＷＤは、セル１及び１つ以上の追加のセル（例えば、隣接セル）上で１つ以上の測定を実行するように更に構成されうる。
【００４８】
ＷＤのカバレッジ拡張（ＣＥ）レベルは、ＷＤのカバレッジレベルとも互換的に呼ばれる。ＣＥレベルは、以下の単位で表されうる：
●セルに関する、ＷＤにおける受信信号品質及び／又は受信信号強度、及び／又は
●ＷＤに関する、セルにおける受信信号品質及び／又は受信信号強度。
【００４９】
ＷＤのＣＥレベルは、サービングセル、隣接セル、リファレンスセル等の任意のセルに関して定められうる。例えば、これは、ＷＤが１つ以上の無線測定を実行するターゲットセルに関する、ＷＤにおける受信信号品質及び／又は受信信号強度の単位で表されうる。信号品質の例は、ＳＮＲ、信号対干渉プラス雑音比（ＳＩＮＲ）、チャネル品質インデックス（ＣＱＩ）、狭帯域受信信号受信品質（ＮＲＳＲＱ：narrowband received signal received quality）、ＲＳＲＱ、セル固有参照信号（ＣＲＳ：cell specific reference signal）Ｅ^ｓ／Ｉｏｔ、共有チャネル（ＳＣＨ）Ｅ^ｓ／Ｉｏｔ等である。信号強度の例は、経路損失、結合損失、受信信号受信電力（ＲＳＲＰ：received signal received power）、ＮＲＳＲＰ、ＳＣＨ＿ＲＰ等である。表記Ｅ^ｓ／Ｉｏｔは、Ｉｏｔに対するＥ^ｓの比率として定義される。
●Ｅ^ｓは、ＷＤアンテナコネクタにおける、シンボルの有効部分（即ち、サイクリックプレフィックスを除いた部分）の期間中のリソースエレメント（ＲＥ）当たりの受信エネルギー（サブキャリア間隔に正規化された電力）である。
●Ｉｏｔは、ＷＤアンテナコネクタにおいて測定された、あるＲＥ（ＲＥ上で積分され、サブキャリア間隔に正規化された電力）についての総ノイズ及び干渉の受信電力スペクトル密度である。
【００５０】
ＣＥレベルは、少なくとも２つの異なるレベルで表されうる。ＷＤにおける信号品質（例えば、ＳＮＲ）に関して定められた、以下の２つの異なるＣＥレベルの例を検討する：
●セルに関するＷＤにおけるＳＮＲ≧−６ｄＢを含むカバレッジ拡張レベル１（ＣＥ１）；及び
●セルに関するＷＤにおける−１５ｄＢ≦ＳＮＲ＜−６ｄＢを含むカバレッジ拡張レベル２（ＣＥ２）。
【００５１】
上記の例では、ＣＥ１は、通常カバレッジレベル（ＮＣＬ：normal coverage level）、ベースラインカバレッジレベル、基準カバレッジレベル、基本カバレッジレベル、レガシーカバレッジレベル等と互換的に呼ばれることもある。一方、ＣＥ２は、拡張（enhanced）カバレッジレベル又は拡大（extended）カバレッジレベル（ＥＣＬ）と呼ばれることがある。
【００５２】
別の例では、２つの異なるカバレッジレベル（例えば、通常カバレッジ及び拡張カバレッジ）は、信号品質レベルに関して以下のように定められうる：
●通常カバレッジの要求条件は、セルに関するＷＤの無線状態が、以下のようにＳＣＨ Ｅ^ｓ／Ｉｏｔ＜−６ｄＢ及びＣＲＳ Ｅ^ｓ／Ｉｏｔ＞−６として定められる場合に、当該セルに関するＷＤカテゴリＮＢ１に適用可能である。
●拡張カバレッジの要求条件は、セルに関するＷＤの無線状態が、以下のようにＳＣＨ Ｅ^ｓ／Ｉｏｔが−１５ｄＢ及びＣＲＳ Ｅ^ｓ／Ｉｏｔが−１５のように定められる場合に、当該セルに関するＷＤカテゴリＮＢ１に適用可能である。
【００５３】
別の例では、セル（例えば、サービングセル、隣接セル等）に関するＷＤのＣＥを定める１つ以上のパラメータも、ネットワークノードによってＷＤにシグナリングされうる。そのようなパラメータの例は、ＷＤカテゴリＭ１、ＷＤカテゴリＭ２等に対してシグナリングされるＣＥモードＡ及びＣＥモードＢである。ＣＥモードＡ及びＣＥモードＢが設定されたＷＤは、それぞれ通常カバレッジ及び拡張カバレッジで動作するとも言われる。例えば以下のとおり：
●ＣＥモードＡの要求条件は、ＷＤカテゴリＭ１又はＷＤカテゴリＭ２が、ＣＥモードＡ、ＳＣＨ Ｅ^ｓ／Ｉｏｔ＞−６ｄＢ、及びＣＲＳ Ｅ^ｓ／Ｉｏｔ＞−６ｄＢを設定された場合に適用される。
●ＣＥモードＢの要求条件は、ＷＤカテゴリＭ１又はＷＤカテゴリＭ２が、ＣＥモードＢ、ＳＣＨ Ｅ^ｓ／Ｉｏｔ＞−１５ｄＢ、及びＣＲＳ Ｅ^ｓ／Ｉｏｔ＞−１５ｄＢを設定された場合に適用されるものとする。
【００５４】
別の例では、ＷＤは、セルへのランダムアクセス送信手順の期間中に、当該セル（例えば、セル１等）に関するＣＥレベルを決定しうる。例えば、ＷＤは、受信信号レベル（例えば、ＲＳＲＰ、ＮＲＳＲＰ等）に基づいて、異なるＣＥレベル（例えば、ＰＲＡＣＨ ＣＥレベル０、ＣＥレベル１、ＣＥレベル２等）に関連付けられたランダムアクセス送信リソース（例えば、ランダムアクセス（ＲＡ）チャネルの反復レベル）を選択する。ＷＤは、当該ＷＤによって実行された信号測定結果（例えば、ＲＳＲＰ、ＮＲＳＲＰ、経路損失）に基づいて、ＣＥレベル（例えば、ＰＲＡＣＨ ＣＥレベル）を選択又は決定する。
【００５５】
一般に、より大きなＣＥレベルにおいて、ＷＤは、より小さなＣＥレベルでの受信信号レベルよりも低い受信信号レベル（例えば、ＲＳＲＰ、経路損失、ＳＮＲ、ＳＩＮＲ、Ｅ^ｓ／Ｉｏｔ、ＲＳＲＱ等）の下で動作するように構成される。実施形態は、セルに関するＷＤの任意の数のＣＥレベル（例えば、ＣＥ１、ＣＥ２、ＣＥ３、ＣＥ４等）に適用可能である。この例では、ＣＥ１は、最小のＣＥレベルに対応し、一方、ＣＥ２は、ＣＥ１よりも大きいが、ＣＥ３よりも小さいＣＥレベルに対応する。ＣＥ３及びＣＥ３は、より大きなＣＥレベルに対応する。ＣＥ２はＣＥ４より小さく、以下同様である。
【００５６】
図面に戻ると、図３には、無線アクセスネットワーク等のアクセスネットワーク１２とコアネットワーク１４とを備える、ＬＴＥ及び／又はＮＲ（５Ｇ）等の規格をサポートしうる３ＧＰＰタイプのセルラネットワーク等の、一実施形態による通信システム１０の概略図が示されている。アクセスネットワーク１２は、ＮＢ、ｅＮＢ、ｇＮＢ又は他のタイプの無線アクセスポイント等の複数のネットワークノード１６ａ，１６ｂ，１６ｃ（まとめてネットワークノード１６と称する）を含み、それぞれが対応するカバレッジエリア１８ａ，１８ｂ，１８ｃ（まとめてカバレッジエリア１８と称する）を規定する。各ネットワークノード１６ａ，１６ｂ，１６ｃは、有線又は無線コネクション２０を介してコアネットワーク１４に接続可能である。カバレッジエリア１８ａに位置する第１の無線デバイス２２ａは、対応するネットワークノード１６ｃに無線で接続する、又は当該ネットワークノードによってページングされるように構成される。カバレッジエリア１８ｂ内の第２のＷＤ２２ｂは、対応するネットワークノード１６ａに無線で接続可能である。この例では、複数のＷＤ２２ａ，２２ｂ（まとめて無線デバイス２２と称する）が示されているが、開示された実施形態は、単一のＷＤがカバレッジエリア内にある状況、又は単一のＷＤが対応するネットワークノード１６に接続している状況にも同様に適用可能である。便宜上、２つのＷＤ２２及び３つのネットワークノード１６のみが示されているが、通信システムは、より多くのＷＤ２２及びネットワークノード１６を含みうることに留意されたい。
【００５７】
また、ＷＤ２２は、２つ以上のネットワークノード１６及び２つ以上のタイプのネットワークノード１６と同時に通信すること、及び／又は別々に通信することを行うように構成されうると考えらえる。例えば、ＷＤ２２は、ＬＴＥをサポートするネットワークノード１６と、ＮＲをサポートする同一又は異なるネットワークノード１６とのデュアルコネクティビティを有することが可能である。一例として、ＷＤ２２は、ＬＴＥ／Ｅ−ＵＴＲＡＮ用のｅＮＢ、及びＮＲ／ＮＧ−ＲＡＮ用のｇＮＢと通信可能である。
【００５８】
通信システム１０は、それ自体、ホストコンピュータ２４に接続されうる。当該ホストコンピュータは、独立型サーバ、クラウド実装型サーバ、分散型サーバのハードウェア及び／又はソフトウェアで、又はサーバファーム内の処理リソースとして実施されうる。ホストコンピュータ２４は、サービスプロバイダの所有であっても制御下にあってもよく、又は、サービスプロバイダによって又はサービスプロバイダの代わりに操作されてもよい。通信システム１０とホストコンピュータ２４との間のコネクション２６，２８は、コアネットワーク１４からホストコンピュータ２４に直接延びていてもよいし、オプションの中間ネットワーク３０を介して延びていてもよい。中間ネットワーク３０は、パブリックネットワーク、プライベートネットワーク、又はホストネットワークのうちの１つ、又は２つ以上の組み合わせであってもよい。中間ネットワーク３０は、もしあれば、バックボーンネットワーク又はインターネットであってもよい。いくつかの実施形態では、中間ネットワーク３０は、２つ以上のサブネットワーク（図示せず）を含んでもよい。
【００５９】
図３の通信システムは、全体として、接続されたＷＤ２２ａ，２２ｂのうちの１つとホストコンピュータ２４との間の接続性を与える。当該接続性は、オーバー・ザ・トップ（ＯＴＴ：over-the-top）コネクションとして説明されうる。ホストコンピュータ２４及び接続されたＷＤ２２ａ，２２ｂは、アクセスネットワーク１２、コアネットワーク１４、任意の中間ネットワーク３０、及び可能性のある更なるインフラストラクチャ（図示せず）を媒介として使用して、ＯＴＴコネクションを介してデータ及び／又はシグナリングを通信するように構成される。ＯＴＴコネクションは、ＯＴＴコネクションが通過する参加通信デバイスの少なくとも一部が、アップリンク通信及びダウンリンク通信のルーティングに気付かないという意味で、トランスペアレントでありうる。例えば、ネットワークノード１６は、接続されたＷＤ２２ａに転送される（例えば、ハンドオーバされる）ホストコンピュータ２４から発信されたデータを有する、到着するダウンリンク通信の過去のルーティングについて通知されてなくてもよく、又は通知される必要がなくてもよい。同様に、ネットワークノード１６は、ＷＤ２２ａからホストコンピュータ２４へ向かう、発信されるアップリンク通信の将来のルーティングを知っている必要はない。
【００６０】
ネットワークノード１６は、ＷＵＳ反復回数を決定するように構成されたＷＵＳ反復ユニット３２を含むように構成される。いくつかの実施形態において、ＷＵＳ反復ユニット３２は、ＷＤのアクティビティレベルに関する情報を取得することと、送信アンテナ構成を選択することと、送信アンテナ構成及びアクティビティレベルに基づいて、ウェイクアップ信号（ＷＵＳ）反復回数を決定することと、当該決定された回数のＷＵＳ反復を含むＷＵＳ信号を送信することと、のうちの少なくとも１つを行うように構成される。いくつかの態様では、ＷＵＳ信号は、少なくとも決定された回数のＷＵＳ反復を含む。
【００６１】
無線デバイス２２は、例えば、ＷＵＳ送信を合成することによってＷＵＳを復号するように構成されたＷＵＳ復号ユニット３４を含むように構成される。いくつかの実施形態では、ＷＵＳ復号ユニット３４は、ネットワークノードの送信アンテナ構成に関する情報を決定することと、ＷＤのアクティビティレベルに関する情報を決定することと、送信アンテナ構成及びアクティビティレベルに基づいて、ウェイクアップ信号（ＷＵＳ）反復回数を決定することと、少なくとも決定された回数のＷＵＳ反復を含むＷＵＳ信号を受信することと、のうちの少なくとも１つを行うように構成される。
【００６２】
図４を参照して、これまでの段落で説明したＷＤ２２、ネットワークノード１６及びホストコンピュータ２４の実施形態による実装例について以下で説明する。通信システム１０において、ホストコンピュータ２４は、通信システム１０の、異なる通信デバイスのインタフェースとの有線又は無線接続をセットアップ及び維持するように構成された通信インタフェース４０を含むハードウェア（ＨＷ）３８を備える。ホストコンピュータ２４は、ストレージ能力及び／又は処理能力を有しうる処理回路４２を更に備える。処理回路４２は、プロセッサ４４及びメモリ４６を含みうる。特に、中央演算処理装置等のプロセッサ及びメモリに加えて、又はその代わりに、処理回路４２は、処理及び／又は制御のための集積回路、例えば、命令を実行するように適合された１つ以上のプロセッサ及び／又はプロセッサコア及び／又はＦＰＧＡ（フィールドプログラマブルゲートアレイ）及び／又はＡＳＩＣ（特定用途向け集積回路）を備えうる。プロセッサ４４は、メモリ４６にアクセス（例えば、書き込み及び／又は読み出し）するように構成されうる。当該メモリは、任意の種類の揮発性メモリ及び／又は不揮発性メモリ、例えば、キャッシュメモリ及び／又はバッファメモリ及び／又はＲＡＭ（ランダムアクセスメモリ）及び／又はＲＯＭ（読み出し専用メモリ）及び／又は光メモリ及び／又はＥＰＲＯＭ（消去可能プログラマブル読み出し専用メモリ）を含みうる。
【００６３】
処理回路４２は、本明細書に記載の方法及び／又はプロセスのいずれかを制御するように、及び／又はそのような方法及び／又はプロセスを、例えばホストコンピュータ２４によって実行させるように構成されうる。プロセッサ４４は、本明細書に記載のホストコンピュータ２４の機能を実行するための１つ以上のプロセッサ４４に対応する。ホストコンピュータ２４は、本明細書に記載の、データ、プログラムによるソフトウェアコード及び／又は他の情報を格納するように構成されたメモリ４６を備える。いくつかの実施形態では、ソフトウェア４８及び／又はホストアプリケーション５０は、プロセッサ４４及び／又は処理回路４２によって実行されるとプロセッサ４４及び／又は処理回路４２に、ホストコンピュータ２４に関して本明細書に記載のプロセスを実行させる命令を含みうる。命令は、ホストコンピュータ２４と関連付けられたソフトウェアでありうる。
【００６４】
ソフトウェア４８は、処理回路４２によって実行可能でありうる。ソフトウェア４８は、ホストアプリケーション５０を含む。ホストアプリケーション５０は、ＷＤ２２及びホストコンピュータ２４で終端するＯＴＴコネクション５２を介して接続するＷＤ２２等のリモートユーザにサービスを提供するように動作可能でありうる。サービスをリモートユーザに提供する際に、ホストアプリケーション５０は、ＯＴＴコネクション５２を使用して送信されるユーザデータを提供しうる。「ユーザデータ」は、記載された機能を実行するものとして本明細書に記載されるデータ及び情報でありうる。一実施形態では、ホストコンピュータ２４は、サービスプロバイダに制御及び機能を提供するように構成されうるとともに、サービスプロバイダによって、又はサービスプロバイダの代わりに操作されうる。ホストコンピュータ２４の処理回路４２は、ホストコンピュータ２４がネットワークノード１６及び／又は無線デバイス２２の監視、モニタリング、制御、それへの送信及び／又はそれからの受信を可能にしうる。
【００６５】
通信システム１０は更に、通信システム１０内に設けられ、かつ、ホストコンピュータ２４及びＷＤ２２と通信することを可能にするハードウェア５８を備えるネットワークノード１６を含む。ハードウェア５８は、通信システム１０の、異なる通信デバイスのインタフェースとの有線又は無線コネクションをセットアップ及び維持するための通信インタフェース６０と、ネットワークノード１６によってサービスが行われるカバレッジエリア１８内に位置するＷＤ２２との少なくとも無線コネクション６４をセットアップ及び維持するための無線インタフェース６２とを含みうる。無線インタフェース６２は、例えば、１つ以上のＲＦ送信機、１つ以上のＲＦ受信機、及び／又は１つ以上のＲＦトランシーバとして形成されてもよく、又はそれらを含んでもよい。通信インタフェース６０は、ホストコンピュータ２４へのコネクション６６を容易にするように構成されうる。コネクション６６は、直接的であってもよいし、通信システム１０のコアネットワーク１４を通過、及び／又は通信システム１０の外部の１つ以上の中間ネットワーク３０を通過してもよい。
【００６６】
図示された実施形態では、ネットワークノード１６のハードウェア５８は処理回路６８を更に備える。処理回路６８は、プロセッサ７０及びメモリ７２を含みうる。特に、中央演算処理装置等のプロセッサ及びメモリに加えて、又はその代わりに、処理回路６８は、処理及び／又は制御のための集積回路、例えば、命令を実行するように適合された１つ以上のプロセッサ及び／又はプロセッサコア及び／又はＦＰＧＡ（フィールドプログラマブルゲートアレイ）及び／又はＡＳＩＣ（特定用途向け集積回路）を備えうる。プロセッサ７０は、メモリ７２にアクセス（例えば、書き込み及び／又は読み出し）するように構成されうる。当該メモリは、任意の種類の揮発性メモリ及び／又は不揮発性メモリ、例えば、キャッシュメモリ及び／又はバッファメモリ及び／又はＲＡＭ（ランダムアクセスメモリ）及び／又はＲＯＭ（読み出し専用メモリ）及び／又は光メモリ及び／又はＥＰＲＯＭ（消去可能プログラマブル読み出し専用メモリ）を含みうる。
【００６７】
このように、ネットワークノード１６は更に、例えばメモリ７２に内部格納された、又は外部接続によってネットワークノード１６からアクセス可能な外部メモリ（例えば、データベース、ストレージアレイ、ネットワークストレージデバイス等）に格納された、ソフトウェア７４を有している。ソフトウェア７４は、処理回路６８によって実行可能でありうる。処理回路６８は、本明細書に記載の方法及び／又はプロセスのいずれかを制御するように、及び／又はそのような方法及び／又はプロセスを、例えばネットワークノード１６によって実行させるように構成されうる。プロセッサ７０は、本明細書に記載のネットワークノード１６の機能を実行するための１つ以上のプロセッサ７０に対応する。メモリ７２は、本明細書に記載の、データ、プログラムによるソフトウェアコード及び／又は他の情報を格納するように構成される。いくつかの実施形態では、ソフトウェア７４は、プロセッサ７０及び／又は処理回路６８によって実行されるとプロセッサ７０及び／又は処理回路６８に、ネットワークノード１６に関して本明細書に記載のプロセスを実行させる命令を含みうる。例えば、ネットワークノード１６の処理回路６８は、例えば図９のフローチャートを参照して説明したもののような、本明細書に記載のネットワークノードの方法及び／又はアレンジメントを実行するように構成されたＷＵＳ反復ユニット３２を含みうる。
【００６８】
通信システム１０は、既に言及したＷＤ２２を更に含む。ＷＤ２２は、ＷＤ２２が現在位置しているカバレッジエリア１８にサービスを行うネットワークノード１６との無線コネクション６４をセットアップ及び維持するように構成された無線インタフェース８２を含みうるハードウェア８０を有しうる。無線インタフェース８２は、例えば、１つ以上のＲＦ送信機、１つ以上のＲＦ受信機、及び／又は１つ以上のＲＦトランシーバとして形成されてもよく、又はそれらを含んでもよい。
【００６９】
ＷＤ２２のハードウェア８０は処理回路８４を更に備える。処理回路８４は、プロセッサ８６及びメモリ８８を含みうる。特に、中央演算処理装置等のプロセッサ及びメモリに加えて、又はその代わりに、処理回路８４は、処理及び／又は制御のための集積回路、例えば、命令を実行するように適合された１つ以上のプロセッサ及び／又はプロセッサコア及び／又はＦＰＧＡ（フィールドプログラマブルゲートアレイ）及び／又はＡＳＩＣ（特定用途向け集積回路）を備えうる。プロセッサ８６は、メモリ８８にアクセス（例えば、書き込み及び／又は読み出し）するように構成されうる。当該メモリは、任意の種類の揮発性メモリ及び／又は不揮発性メモリ、例えば、キャッシュメモリ及び／又はバッファメモリ及び／又はＲＡＭ（ランダムアクセスメモリ）及び／又はＲＯＭ（読み出し専用メモリ）及び／又は光メモリ及び／又はＥＰＲＯＭ（消去可能プログラマブル読み出し専用メモリ）を含みうる。
【００７０】
このように、ＷＤ２２は更に、例えばＷＤ２２内のメモリ８８に格納された、又はＷＤ２２からアクセス可能な外部メモリ（例えば、データベース、ストレージアレイ、ネットワークストレージデバイス等）に格納された、ソフトウェア９０を有しうる。ソフトウェア９０は、処理回路８４によって実行可能でありうる。ソフトウェア９０は、クライアントアプリケーション９２を含みうる。クライアントアプリケーション９２は、ホストコンピュータ２４のサポートにより、ＷＤ２２を介して人間の又は人間以外のユーザにサービスを提供するように動作可能でありうる。ホストコンピュータ２４において、実行中のホストアプリケーション５０は、ＷＤ２２及びホストコンピュータ２４で終端するＯＴＴコネクション５２を介して、実行中のクライアントアプリケーション９２と通信しうる。ユーザにサービスを提供する際、クライアントアプリケーション９２は、ホストアプリケーション５０から要求データを受信し、当該要求データに応じてユーザデータを提供しうる。ＯＴＴコネクション５２は、要求データ及びユーザデータの両方を転送しうる。クライアントアプリケーション９２は、それが提供するユーザデータを生成するためにユーザとインタラクションしうる。
【００７１】
処理回路８４は、本明細書に記載の方法及び／又はプロセスのいずれかを制御するように、及び／又はそのような方法及び／又はプロセスを、例えばＷＤ２２によって実行させるように構成されうる。プロセッサ８６は、本明細書に記載のＷＤ２２の機能を実行するための１つ以上のプロセッサ８６に対応する。ＷＤ２２は、本明細書に記載の、データ、プログラムによるソフトウェアコード及び／又は他の情報を格納するように構成されたメモリ８８を備える。いくつかの実施形態では、ソフトウェア９０及び／又はクライアントアプリケーション９２は、プロセッサ８６及び／又は処理回路８４によって実行されるとプロセッサ８６及び／又は処理回路８４に、ＷＤ２２に関して本明細書に記載のプロセスを実行させる命令を含みうる。例えば、無線デバイス２２の処理回路８４は例えば、図１０のフローチャートを参照して説明したもののような、本明細書に記載の無線デバイス２２の方法及び／又はアレンジメントを実行するように構成されたＷＵＳ復号ユニット３４を含みうる。
【００７２】
いくつかの実施形態では、ネットワークノード１６、ＷＤ２２、及びホストコンピュータ２４の内部動作は、図４に示されるようなものとされうるとともに、独立して、周囲のネットワークトポロジは図３のものとされうる。
【００７３】
図４では、あらゆる中間デバイス及びそれらのデバイスを介したメッセージの正確なルーティングに明示的に言及することなく、ＯＴＴコネクション５２が、ネットワークノード１６を介したホストコンピュータ２４と無線デバイス２２との間の通信を示すために抽象的に描かれている。ネットワークインフラストラクチャは、ＷＤ２２から若しくはホストコンピュータ２４を操作するサービスプロバイダから、又はその両方から隠すように構成されうるルーティングを決定しうる。ＯＴＴコネクション５２がアクティブである間に、ネットワークインフラストラクチャは、（例えば、負荷の考慮又はネットワークの再設定に基づいて）ルーティングを動的に変更する決定を更に行いうる。
【００７４】
ＷＤ２２とネットワークノード１６との間の無線コネクション６４は、本開示全体にわたって説明される実施形態の教示に従う。様々な実施形態のうちの１つ以上は、無線コネクション６４が最後のセグメントを形成しうるＯＴＴコネクション５２を使用してＷＤ ２２に提供されるＯＴＴサービスの性能を改善しうる。より正確には、これらの実施形態の一部の教示が、データレート、レイテンシ、及び／又は消費電力を改善することができ、それによって、ユーザの待ち時間の低減、ファイルサイズの緩和、応答性の向上、バッテリ寿命の延長等の利点を提供できる。
【００７５】
いくつかの実施形態では、１つ又は以上の実施形態が改善するデータレート、レイテンシ及びその他の要因をモニタリングする目的で、測定手順が提供されうる。更に、測定結果の変動に応じて、ホストコンピュータ２４とＷＤ２２との間のＯＴＴコネクション５２を再設定するためのオプションのネットワーク機能があってもよい。ＯＴＴコネクション５２を再設定するための測定手順及び／又はネットワーク機能は、ホストコンピュータ２４のソフトウェア４８、又はＷＤ２２のソフトウェア９０、又はその両方で実装されうる。いくつかの実施形態では、センサ（図示せず）が、ＯＴＴコネクション５２が通過する通信デバイスに配置されうるか又はそれに関連して配置されうる。当該センサは、上記で例示された、モニタリングされた量の値を供給することによって、又はソフトウェア４８，９０が当該モニタリングされた量を他の物理量の値から計算又は推定しうる、当該他の物理量の値を供給することによって、測定手順に関与しうる。ＯＴＴコネクション５２の再設定は、メッセージフォーマット、再送設定、好ましいルーティング等を含んでもよく、当該再設定は、ネットワークノード１６に影響を与える必要はなく、ネットワークノード１６には未知であるか又は感知できなくてもよい。いくつかのそのような手順及び機能は、当該分野では既知でありうるとともに実践されうる。特定の実施形態では、測定は、ホストコンピュータ２４の、スループット、伝搬時間、レイテンシ等の測定を容易にする、独自のＷＤシグナリングを含みうる。いくつかの実施形態では、測定は、ソフトウェア４８，９０が、伝搬時間、エラー等をモニタリングしながら、ＯＴＴコネクション５２を使用して、メッセージ（特に、空のメッセージ又は「ダミー」メッセージ）を送信させることで実行されうる。
【００７６】
このように、いくつかの実施形態では、ホストコンピュータ２４は、ユーザデータを提供するように構成された処理回路４２と、ＷＤ２２への送信のためにユーザデータをセルラネットワークに転送するように構成された通信インタフェース４０とを備える。いくつかの実施形態では、セルラネットワークは更に、無線インタフェース６２を有するネットワークノード１６を含む。いくつかの実施形態では、ＷＤ２２への送信の準備／開始／維持／サポート／終了のため、及び／又はＷＤ２２からの送信の受信の準備／開始／維持／サポート／終了のための、本明細書に記載の機能及び／又は方法を実行するように、ネットワークノード１６が構成される及び／又はネットワークノード１６の処理回路６８が構成される。
【００７７】
いくつかの実施形態では、ホストコンピュータ２４は、処理回路４２と、ＷＤ２２からネットワークノード１６への送信から生じるユーザデータを受信するように構成された通信インタフェース４０とを備える。いくつかの実施形態では、ネットワークノード１６への送信の準備／開始／維持／サポート／終了のため、及び／又はネットワークノード１６からの送信の受信の準備／開始／維持／サポート／終了のための、本明細書に記載の機能及び／又は方法を実行するように、ＷＤ２２が構成される及び／又は構成される無線インタフェース８２及び／又は処理回路８４をＷＤ２２が備える。
【００７８】
図３及び図４は、ＷＵＳ反復ユニット３２及びＷＵＳ復号ユニット３４等の種々の「ユニット」がそれぞれのプロセッサ内にあることを示しているが、これらのユニットは当該ユニットの一部が処理回路内の対応するメモリに格納されるように実装されてもよいと考えられる。言い換えれば、上記ユニットは、処理回路内のハードウェア又はハードウェアとソフトウェアとの組み合わせで実装されてもよい。
【００７９】
図５は、一実施形態に係る、例えば、図３及び図４の通信システム等の通信システムにおいて実行される例示的な方法を示すフローチャートである。通信システムは、図４参照して説明されるものでありうるホストコンピュータ２４、ネットワークノード１６、及びＷＤ２２を含みうる。本方法の第１のステップで、ホストコンピュータ２４がユーザデータを提供する（ブロックＳ１００）。第１のステップの、オプションであるサブステップで、ホストコンピュータ２４が、例えばホストアプリケーション５０のようなホストアプリケーションを実行することによって、ユーザデータを提供する（ブロックＳ１０２）。第２のステップで、ホストコンピュータ２４が、ＷＤ２２へのユーザデータを搬送する送信を開始する（ブロックＳ１０４）。オプションである第３のステップ９３０で、ネットワークノード１６が、本開示全体にわたって説明される実施形態の教示に従って、ホストコンピュータ２４が開始した送信で搬送されたユーザデータをＷＤ２２へ送信する（ブロックＳ１０６）。オプションである第４のステップで、ＷＤ２２が、ホストコンピュータ２４によって実行されるホストアプリケーション５０に関連付けられた、例えばクライアントアプリケーション１１４のようなクライアントアプリケーションを実行する（ブロックＳ１０８）。
【００８０】
図６は、一実施形態に係る、例えば、図３の通信システム等の通信システムにおいて実行される例示的な方法を示すフローチャートである。通信システムは、図３及び図４を参照して説明されうるホストコンピュータ２４、ネットワークノード１６、及びＷＤ２２を含みうる。本方法の第１のステップで、ホストコンピュータ２４がユーザデータを提供する（ブロックＳ１１０）。オプションであるサブステップ（図示せず）で、ホストコンピュータ２４が、例えばホストアプリケーション５０のようなホストアプリケーションを実行することによってユーザデータを提供する。第２のステップで、ホストコンピュータ２４が、ＷＤ２２へのユーザデータを搬送する送信を開始する（ブロックＳ１１２）。当該送信は、本開示全体にわたって説明される実施形態の教示に従って、ネットワークノード１６を通過しうる。オプションである第３のステップで、ＷＤ２２が、当該送信で搬送されたユーザデータを受信する（ブロックＳ１１４）。
【００８１】
図７は、一実施形態に係る、例えば、図３の通信システム等の通信システムにおいて実行される例示的な方法を示すフローチャートである。通信システムは、図３及び図４を参照して説明されうるホストコンピュータ２４、ネットワークノード１６、及びＷＤ２２を含みうる。本方法の、オプションである第１のステップで、ＷＤ２２が、ホストコンピュータ２４によって提供された入力データを受信する（ブロックＳ１１６）。第１のステップの、オプションであるサブステップで、ＷＤ２２が、ホストコンピュータ２４によって提供された受信入力データに応答してユーザデータを提供するクライアントアプリケーション１１４を実行する。追加的に又は代替的に、オプションである第２のステップで、ＷＤ２２が、ユーザデータを提供する（ブロックＳ１２０）。第２のステップの、オプションであるサブステップで、ＷＤが、例えばクライアントアプリケーション１１４のようなクライアントアプリケーションを実行することによって、ユーザデータを提供する（ブロックＳ１２２）。ユーザデータを提供する際に、実行されるクライアントアプリケーション１１４は、ユーザから受け付けたユーザ入力を更に考慮してもよい。ユーザデータが提供された特定の方法にかかわらず、ＷＤ２２は、オプションである第３のサブステップで、ユーザデータのホストコンピュータ２４への送信を開始する（ブロックＳ１２４）。本方法の第４のステップで、ホストコンピュータ２４が、本開示全体にわたって説明される実施形態の教示に従って、ＷＤ２２から送信されたユーザデータを受信する（ブロックＳ１２６）。
【００８２】
図８は、一実施形態に係る、例えば、図３の通信システム等の通信システムにおいて実行される例示的な方法を示すフローチャートである。通信システムは、図３及び図４を参照して説明されうるホストコンピュータ２４、ネットワークノード１６、及びＷＤ２２を含みうる。オプションである第１のステップで、本開示全体にわたって説明される実施形態の教示に従って、ネットワークノード１６が、ＷＤ２２からユーザデータを受信する（ブロックＳ１２８）。オプションである第２のステップで、ネットワークノード１６が、受信したユーザデータのホストコンピュータ２４への送信を開始する（ブロックＳ１３０）。第３のステップで、ホストコンピュータ２４が、ネットワークノード１６によって開始された送信で搬送されたユーザデータを受信する（ブロックＳ１３２）。
【００８３】
図９は、本開示のいくつかの実施形態による、ネットワークノード１６における例示的なプロセスのフローチャートである。ネットワークノード１６によって実行される１つ以上のブロック及び／又は機能及び／又は方法は、例示的な方法に従って、ネットワークノード１６の１つ以上のエレメント（処理回路６８内のＷＵＳ反復ユニット３２、プロセッサ７０、無線インタフェース６２等）によって実行されうる。例示的な方法は、ＷＵＳ反復ユニット３２、処理回路６８、プロセッサ７０、及び／又は無線インタフェース６２等を介して、無線デバイス（ＷＤ）２２のアクティビティレベルに関する情報を取得すること（ブロックＳ１３４）を含む。本方法は、ＷＵＳ反復ユニット３２、処理回路６８、プロセッサ７０及び／又は無線インタフェース６２等を介して、送信アンテナ構成を選択すること（ブロックＳ１３６）を含みうる。本方法は、ＷＵＳ反復ユニット３２、処理回路６８、プロセッサ７０及び／又は無線インタフェース６２等を介して、送信アンテナ構成及びアクティビティレベルに基づいてウェイクアップ信号（ＷＵＳ）反復回数を決定すること（ブロックＳ１３８）を含みうる。本方法は、ＷＵＳ反復ユニット３２、処理回路６８、プロセッサ７０及び／又は無線インタフェース６２等を介して、ＷＵＳ信号を送信すること（ブロックＳ１４０）を含みうる。当該ＷＵＳ信号は、少なくとも決定された回数のＷＵＳ反復を含む。
【００８４】
いくつかの実施形態では、ＷＵＳ信号を送信することは、制御チャネルが送信される場合にＷＵＳ信号を送信することを更に含む。いくつかの実施形態では、本方法は、ＷＵＳ信号の送信後に、ＷＵＳ反復ユニット３２、処理回路６８、プロセッサ７０及び／又は無線インタフェース６２等を介して、制御チャネルを送信することを含む。いくつかの実施形態では、選択された送信アンテナ構成は、ＷＵＳ信号を送信するために使用される、ある数の送信アンテナを含み、ＷＵＳ信号を送信することは、その数の送信アンテナを使用してＷＵＳ信号を送信することを更に含む。いくつかの実施形態では、本方法は更に、ＷＵＳ反復ユニット３２、処理回路６８、プロセッサ７０及び／又は無線インタフェース６２等を介して、選択された送信アンテナ構成に関する情報をＷＤ２２へ送信することを含む。
【００８５】
いくつかの実施形態では、ＷＤ２２のアクティビティレベルは、間欠受信（ＤＲＸ）サイクル長である。いくつかの実施形態では、送信アンテナ構成及びアクティビティレベルに基づいてＷＵＳの反復回数を決定することは更に、ＷＵＳ反復ユニット３２、処理回路６８、プロセッサ７０及び／又は無線インタフェース６２等を介して、ＷＵＳ反復回数をテーブルから選択することを含む。当該テーブルは、反復回数をＤＲＸサイクル長にマッピングしうる。いくつかの実施形態では、当該テーブルからＷＵＳ反復回数が選択され、当該テーブルはＷＤのカバレッジレベルが拡張されるかどうかに依存する。したがって、ＷＵＳ反復回数は、ＷＤのカバレッジレベルが拡張されるか（否か）に依存するものとみなされうる。いくつかの実施形態では、ＷＵＳ反復回数が受信信号品質及び受信信号強度のうちの１つに依存するように、カバレッジレベルは受信信号品質及び受信信号強度のうちの１つとして表される。
【００８６】
いくつかの実施形態では、選択された送信アンテナ構成は、ＷＵＳ信号を送信するために選択された数の送信アンテナを含む。いくつかの実施形態では、選択された送信アンテナの数は、１送信アンテナ及び２送信アンテナのうちの１つである。いくつかの実施形態では、ＷＵＳ反復回数を決定することは更に、ＷＵＳ反復ユニット３２、処理回路６８、プロセッサ７０及び／又は無線インタフェース６２等を介して、アクティビティレベルが、５．１２秒に等しい、５．１２秒より大きい、及び５．１２秒より小さい、のうちの１つであることに基づいて、ＷＵＳ反復回数を決定することを含む。いくつかの実施形態では、ＷＤ２２は、マシンタイプ通信（ＭＴＣ）ＷＤ、及び狭帯域インターネット・オブ・シングス（ＮＢ−ＩｏＴ）ＷＤのうちの１つである。いくつかの実施形態では、ＷＵＳ反復回数が選択されるテーブルは、送信アンテナ構成に依存する。
【００８７】
いくつかの実施形態では、プロセスは、処理回路６８を介して、ＷＤアクティビティレベルを決定すること、及び送信アンテナ構成を選択することを含む。本プロセスは更に、ＷＵＳ反復ユニット３２を介して、ＷＤアクティビティレベル及び送信アンテナ構成に基づいて、ウェイクアップ信号（ＷＵＳ）反復回数を決定することを含む（ブロックＳ１３６）。本プロセスは更に、無線インタフェース６２を介して、決定されたＷＵＳ反復回数に従ってＷＵＳをＷＤに繰り返し送信することを含む。
【００８８】
図１０は、本開示のいくつかの実施形態による、無線デバイス２２における例示的なプロセスのフローチャートである。ＷＤ２２によって実行される１つ以上のブロック及び／又は機能及び／又は方法は、ＷＤ２２の１つ以上のエレメント（処理回路８４内のＷＵＳ復号ユニット３４、プロセッサ８６、無線インタフェース８２等）によって実行されうる。例示的な方法は、ＷＵＳ復号ユニット３４、処理回路８４、プロセッサ８６及び／又は無線インタフェース８２等を介して、ネットワークノード１６の送信アンテナ構成に関する情報を決定すること（ブロックＳ１４２）を含む。本方法は、ＷＵＳ復号ユニット３４、処理回路８４、プロセッサ８６及び／又は無線インタフェース８２等を介して、ＷＤ２２のアクティビティレベルに関する情報を決定すること（ブロックＳ１４４）を含む。本方法は、ＷＵＳ復号ユニット３４、処理回路８４、プロセッサ８６及び／又は無線インタフェース８２等を介して、送信アンテナ構成及びアクティビティレベルに基づいて、受信されることが予期されるウェイクアップ信号（ＷＵＳ）反復の回数を決定すること（ブロックＳ１４６）を含む。いくつかの態様において、無線デバイスへ送信される信号は、複数の反復されるウェイクアップ信号を含み、ウェイクアップ信号の数は反復回数である。いくつかの例では、送信信号（及び受信信号）は、規定された回数のウェイクアップ信号の反復（即ち、ＷＵＳ反復）を含むウェイクアップ信号と呼ばれうる。本方法は、ＷＵＳ復号ユニット３４、処理回路８４、プロセッサ８６及び／又は無線インタフェース８２等を介して、ＷＵＳ信号を受信すること（ブロックＳ１４８）を含み、当該ＷＵＳ信号は、少なくとも決定された回数のＷＵＳ反復を含む。
【００８９】
いくつかの実施形態では、本方法は更に、ＷＵＳ信号が受信されると、ＷＵＳ復号ユニット３４、処理回路８４、プロセッサ８６及び／又は無線インタフェース８２等を介して、制御チャネルを監視することを含む。いくつかの実施形態では、ＷＵＳ信号を受信することは更に、ＷＵＳ復号ユニット３４、処理回路８４、プロセッサ８６及び／又は無線インタフェース８２等を介して、決定されたＷＵＳ反復回数に従ってＷＵＳ信号を復号することを含む。いくつかの実施形態では、決定されたＷＵＳ反復回数に従ってＷＵＳ信号を復号することは更に、ＷＵＳ復号ユニット３４、処理回路８４、プロセッサ８６及び／又は無線インタフェース８２等を介して、決定されたＷＵＳ反復回数に等しい回数受信されたＷＵＳ送信を合成することを含む。
【００９０】
いくつかの実施形態では、アクティビティレベルは、間欠受信（ＤＲＸ）サイクル長である。いくつかの実施形態では、送信アンテナ構成及びアクティビティレベルに基づいてＷＵＳの反復回数を決定することは更に、ＷＵＳ復号ユニット３４、処理回路８４、プロセッサ８６及び／又は無線インタフェース８２等を介して、テーブルからのＷＵＳ反復回数を選択することを含む。当該テーブルは、反復回数をＤＲＸサイクル長にマッピングしうる。いくつかの態様では、ＷＵＳ反復回数は、ＷＤのカバレッジレベルが拡張されるか（否か）に更に基づいているとみなされうる。いくつかの実施形態では、当該テーブルからＷＵＳ反復回数が選択され、当該テーブルはＷＤのカバレッジレベルが拡張されるかどうかに依存する。いくつかの実施形態では、ＷＵＳ反復回数が受信信号品質及び受信信号強度のうちの１つ以上に依存するように、カバレッジレベルは受信信号品質及び受信信号強度のうちの１つとして表される。
【００９１】
いくつかの実施形態では、ネットワークノード１６の送信アンテナ構成に関する情報は、ＷＵＳ信号を送信するためにネットワークノード１６によって使用される、ある数の送信アンテナを含む。いくつかの実施形態では、送信アンテナの数は、１送信アンテナ及び２送信アンテナのうちの１つである。いくつかの実施形態では、ＷＵＳ反復回数を決定することは更に、ＷＵＳ復号ユニット３４、処理回路８４、プロセッサ８６及び／又は無線インタフェース８２等を介して、アクティビティレベルが、５．１２秒に等しい、５．１２秒より大きい、及び５．１２秒より小さい、のうちの１つであることに基づいて、ＷＵＳ反復回数を決定することを含む。いくつかの実施形態では、ＷＤ２２は、マシンタイプ通信（ＭＴＣ）ＷＤ、及び狭帯域インターネット・オブ・シングス（ＮＢ−ＩｏＴ）ＷＤのうちの１つである。いくつかの実施形態では、ＷＵＳ反復回数が選択されるテーブルは、送信アンテナ構成に依存する。
【００９２】
いくつかの実施形態では、プロセスは、無線インタフェース８２を介して、ネットワークノード１６から送信アンテナ構成に関する情報を受信すること、及びＷＤのアクティビティレベルを決定することを含む。本プロセスは、送信アンテナ構成及びアクティビティレベルに基づいて、処理回路８４を介して、ウェイクアップ信号８ＷＵＳ）反復回数を決定することも含む（ブロックＳ１４２）。本プロセスは更に、ＷＵＳ復号ユニット３４を介して、決定されたＷＵＳ反復回数に等しい回数受信されたウェイクアップ信号を合成することによってＷＵＳを復号することを含む。
【００９３】
本開示の構成の一般的なプロセスフローを説明し、本開示のプロセス及び機能を実装するためのハードウェア及びソフトウェア構成の例を提供してきたが、以下のセクションは、伝送方式及び無線デバイス（ＷＤ）アクティビティレベルに基づいてウェイクアップ信号の反復を適応させるための構成の詳細及び例を提供する。
【００９４】
一実施形態は、ウェイクアップ信号（ＷＵＳ）の検出を試みている無線デバイス（ＷＤ）における方法である。ＷＵＳは、ＷＤ２２がＤＬ制御チャネル（例えば、ＭＰＤＣＣＨ、ＮＰＤＣＣＨ等のｘＤＰＣＣＨ）を復号し続けるべきか又はスリープに戻るべきかを知るために、ＷＤ２２によって使用される。ＷＵＳは、無線ネットワークノード１６（例えば、ｅＮＢのような基地局）がＷＤのページングを試みている際に、当該ノードから送信される。図１１は、いくつかの実施形態のフローチャートを示す。最初の番号付けされていないボックスに示されているように、図１１のプロセスは、ＷＵＳがセル内に設定されていると仮定する（ブロックＳ１４９）。
【００９５】
送信アンテナ構成の決定
第１のステップ（ブロックＳ１５０）で、ＷＤは、ネットワークノード１６からＷＵＳを受信する／受信しようとする場合に当該ネットワークノードにおいて使用されるＷＤ送信アンテナ構成に関する情報を取得する。例えば、ＷＤ２２は、マスター情報ブロック（ＭＩＢ）、システム情報ブロック（ＳＩＢ）等のシステム情報を介して、ネットワークノード１６から情報を受信することによって、セル内で使用されるＷＤ送信アンテナ構成に関する情報を取得しうる。別の例では、ＷＤ２２は、ブラインド判定によって（例えば、アンテナからの信号（例えば、参照信号）の存在を自律的に検出することによって）、セル内で使用されるＷＤ送信アンテナ構成に関する情報を取得しうる。更に別の例では、ＷＤ２２は、予め定められた情報（例えば、アンテナ構成とセル内で使用されるキャリア周波数又は帯域との間の関係、又はアンテナ構成とセル内で使用されるセルとの間の関係）によって、セル内で使用されるＷＤ送信アンテナ構成に関する情報を取得しうる。更に別の例では、ＷＤ２２は、統計又は過去の履歴（例えば、以前の時間にそのセルで使用されたアンテナ構成）に基づいて、セルで使用されたＷＤ送信アンテナ構成に関する情報を取得しうる。
【００９６】
１つの例では、ネットワークノード１６は、少なくとも２つの異なる送信アンテナ構成、例えば、１つの送信アンテナを含む第１の送信アンテナ構成（ＴＸ１）と、２つの送信アンテナを含む第２の送信アンテナ構成（ＴＸ２）とをサポートしうる。更に別の例では、第１の送信アンテナ構成は２つの送信アンテナを含み、第２の送信アンテナ構成は４つの送信アンテナを含む。更に別の例では、ネットワークノード１６は、３つ以上の送信アンテナ構成（例えば、ＴＸ１、ＴＸ２、及び第３の送信アンテナ構成（ＴＸ３））をサポートしうる。複数のアンテナを含む送信アンテナ構成は、アンテナ切り替え、アンテナ合成等のうちの１つ以上を更に含みうる。例えば、アンテナ切り替えでは、信号がセル内の異なる時間リソースにおいて異なるアンテナで送信される。この場合、ＷＤ２２は、一度に１つのアンテナからＷＵＳ信号を受信する。別の例では、アンテナ合成では信号がセル内の同じ時間リソースにおいて異なるアンテナで送信される。この場合、ＷＤ２２は、一度に複数のアンテナからＷＵＳ信号を受信する。同じ時間リソース内又は異なる時間リソース内の複数のアンテナからの信号は、ＷＵＳ信号の１回の反復であると仮定されうる。
【００９７】
ＷＤアクティビティレベルの決定
第２のステップ（ブロックＳ１５２）で、ＷＤ２２は、ＷＤ２２のアクティビティレベルを決定する。アクティビティレベルは、より低いＷＤアクティビティレベルがより少ない同期を意味し、より高いＷＤアクティビティレベルがより良好な同期を意味するように、ネットワークに関する（例えば、セル１に関する）ＷＤ同期の状態のインジケーションである。同期レベルが低い場合、ＷＤ２２は、同期レベルが高い場合と比較して、同じ信号を受信するためにより多くの試行を必要としうる。一例として、ＷＤアクティビティレベルは、以下の基準のうちの１つ以上に関して表現又は決定されうる：
●ＷＤ２２のＤＲＸ設定；及び／又は
●ＷＤ２２によって使用されているサービス又はアプリケーションのタイプ。
上記の基準について例を用いて以下に詳述する。
【００９８】
ＤＲＸサイクル設定：
ＷＤ２２によって取得されるＤＲＸ関連情報について上述してきた。使用されるＤＲＸ関連情報は、ＷＤ２２がセルからこの設定を受信してそれを使用しているので、ＷＤ２２には既知である。ＷＤ２２は更に、サードパーティノード（ＩｏＴタイプのデバイスの場合でありうる）又は任意の他のネットワークデバイスから、この情報を取得しうる。この情報から、ＷＤ２２は、ＷＤ２２がどのくらいの頻度で起きるか、どのくらいの時間起きているか、及びそのアクティブ時間を把握する。
【００９９】
ＩｏＴタイプのデバイスは、典型的には短いデータパケットのまれなバーストを受信又は送信することが予想されるので、ＷＤ２２には、ＷＤ２２が長時間スリープし、かつ、そのバッテリ寿命を節約することを可能にするＤＲＸ設定が設定されうる。しかしながら、異なるタイプのＤＲＸ設定を必要とする異なるタイプのＩｏＴ ＷＤが存在しうる。例えば、オフィス環境に配置された１つのＷＤ２２は、比較的頻繁に起きるように設定されてもよく、一方、農業現場に配置された別のＷＤ２２は、１日の間に時折起きる設定されてもよい。前者のＷＤ２２は、２．５６秒のＤＲＸ長を有する通常のＤＲＸを設定されてもよく、後者のＷＤ２２は、４０分以上のｅＤＲＸ長を有するｅＤＲＸを設定されてもよい。
【０１００】
ＤＲＸサイクル長と同様に、アクティビティ時間は、ＷＤ２２のタイプに応じて異なってもよい。
【０１０１】
一実施形態では、アクティビティレベルは、ＤＲＸ又はｅＤＲＸサイクル持続時間、ＰＴＷ持続時間、及び／又はＷＵＳが検出されないＷＵＳ試行の回数によって間接的に決定される。上記のすべての場合について、より長い持続時間はより低いアクティビティを意味し、ひいては、より長いＷＵＳ検出持続時間の必要性を意味する。
【０１０２】
ＤＲＸサイクルがより長い場合、ＤＲＸサイクルがより短い場合と比較して、ＷＤアクティビティは低いと考えられる。また、ＤＲＸサイクルがより長い場合、ＤＲＸサイクルがより短い場合に比べてＷＤ同期レベルが低くなる。例えば、１２８０ｍｓのＤＲＸサイクルは、ＤＲＸサイクルが３２０ｍｓである場合と比較して、より低いＷＤアクティビティレベルに関連付けられる。
【０１０３】
サービス又はアプリケーションのタイプ：
取得されるサービス又はアプリケーションのタイプに関する情報は、以下のうちの１つ以上を更に含みうる：
●ＷＤ２２のモビリティ状態に関するＷＤ２２タイプであり、例えば、固定ＷＤ２２であるか、又は移動ＷＤ２２であるか、そのように半移動（semi-mobile）デバイスであるか、等である。これは、ひいては、ＷＤ２２によって使用されるサービスのタイプを示しうる。例えば、センサでありうる固定ＷＤ２２は、非常にまれに、例えば１５〜３０分ごとに１回、データを送信及び／又は受信しうる。この場合、ＷＤアクティビティレベルは低いと考えられうる。しかし、ＷＤ２２が、あるレベルのモビリティを示す（即ち、頻繁に又は時折移動する）場合、そのアクティビティレベルは、中程度又は高いと考えられる。モビリティ状態は、ＷＤ２２に知られるべきであり、以下のメカニズム、即ち、セル変更のレート（例えば、単位時間当たりのハンドオーバ数）、測定値の変化に基づいて、又はネットワーク内の他のノード（例えば、測位ノード、コアネットワーク、サードパーティノード等）から受信された情報に基づいて、ＷＤ２２によって推定されたＷＤ２２のドップラー速度等、のうちの１つ以上に基づいて決定されうる。
●ＷＤ２２が使用されている特定のタイプのサービス又はアプリケーションであり、例えば、温度監視のため、警報監視のための家庭内、アクティビティを検出するための建物内、農場内等である。このタイプの情報は、例えば、以下のうちの１つ以上から取得されうる：
●ＷＤ２２によって、例えば、コアネットワークノード１６、サードパーティノード等によって使用されるアプリケーション又はサービスに関する情報を記憶するネットワークノード１６；
●サードパーティノード；
●アプリケーションサーバ；
●サブスクリプション情報又はオペレータデータ；
●加入者識別モジュール（ＳＩＭ）カード；
●履歴データ又は統計値；及び／又は
●トラフィックアクティビティの推定、例えば、平均ＷＤ２２ビットレート、平均ＷＤ２２ビットレートとピークＷＤ２２ビットレートとの間の関係等。
【０１０４】
ＷＤ２２のモビリティは、それが使用するサービス／アプリケーションのタイプにも依存しうる。例えば、フィールドに配置されたＩｏＴ ＷＤ２２は静止している場合があり、一方、車両に配置されたＩｏＴ ＷＤ２２は移動可能である場合がある。
【０１０５】
送信アンテナ構成及びＷＤアクティビティレベルに基づくＷＵＳ反復レベルの決定
第３のステップ（ブロックＳ１５４）で、ＷＤ２２は、少なくとも送信アンテナ構成及びＷＤアクティビティレベルに関する決定された情報に基づいて、十分な検出確率でＷＵＳを受信するために必要とされるＷＵＳ反復レベルを決定しうる。ＷＵＳ信号は、典型的には、例えばセル内の８つのＤＬサブフレームを介して、連続するＤＬ時間リソースで送信される。決定された数のＷＵＳ反復信号により更に、ＷＤ２２が、ＷＵＳ検出時間又はＷＤ２２内でＷＵＳ信号を取得する時間を決定することが可能になる。例えば、ＦＤＤセル又はＨＤ−ＦＤＤセルでは、８回のＷＵＳ反復のためのＷＵＳ検出時間は少なくとも８サブフレーム又は８ｍｓである。フレーム当たり４つのＤＬサブフレームを有するＴＤＤセルでは、８回のＷＵＳ反復のためのＷＵＳ検出時間が、（１０番目のサブフレーム（ＳＦ）もＤＬ ＳＦであると仮定して）少なくとも２０サブフレーム又は２０ｍｓである。
【０１０６】
以下では、ＷＤ２２がＷＵＳの復号に成功するために、即ち、必要なＷＵＳ反復回数よりも多い又は少ない回数の反復を使用しない良好な確率で、ＷＵＳの反復回数を決定するために、送信アンテナ構成及びＷＤ２２アクティビティレベルに関する決定された情報をどのように使用するかについて説明する。当該決定は、ＷＵＳ反復回数、送信アンテナ構成のタイプ及びＷＤアクティビティレベルの間の関係に基づきうる。当該関係は、（例えば、予め定義されたマッピングテーブルに関して）予め定められてもよいし、又は（例えば、ＳＩＢにおけるようなシステム情報において）ＷＤ２２にシグナリングされてもよい。
【０１０７】
ＷＵＳの各反復は、時間リソース（例えば、スロット、サブフレーム、ＴＴＩ、ｓＴＴＩ等）を含みうる。１つの反復グループ内の全ての反復は同じ信号を含む。これにより、ＷＤ受信機は、同じグループ内の全ての反復を合成することで復号性能を向上させることができる。
【０１０８】
一般に、ＷＵＳを復号するためにＷＤ２２によって必要とされる所要ＷＵＳ反復回数は、ＤＲＸサイクル長の増加と共に増加する。所要ＷＵＳ反復回数は更に、ＷＵＳを送信するために使用される送信アンテナ構成のタイプに依存しうる。
【０１０９】
例えば、同期が比較的良好である、より短いＤＲＸサイクルの下では、単一アンテナ送信が、良好な検出確率（例えば、ＷＵＳ信号の≦Ｘ％の不検出（missed detection）、例えば、Ｘ＝ＷＵＳ信号の１％の不検出率）でＷＵＳを受信するのに十分でありうる。この場合、ＷＤ２２は、ＷＵＳを受信するために多くの回数の反復を必要としなくてもよい。
【０１１０】
別の例では、同期が粗いより長いＤＲＸサイクルの下では、単一アンテナ送信が、ＷＤ２２が良好な検出確率でＷＵＳを受信するのに十分でない場合がある。この場合、不検出率（missed detection rate）は、例えば、Ｘ＝５％又はＸ＝１０％に増加しうる。その結果は２要素から成る。第１に、ＷＤ２２は、ページングを見逃す可能性があり、ＷＤ２２が短すぎる継続時間の間にページングを監視していた場合、ネットワーク要求に応答しない可能性がある。第２に、ＷＤ２２がページングを長すぎる時間にわたって監視している場合、ＷＵＳで達成できる可能性のある省電力ゲインを達成できない可能性がある。したがって、低い誤警報率及び不検出確率を維持することが望ましい場合がある。ここで、誤警報確率（又は誤警報率）とは、ネットワークノード１６からＷＵＳが送信されていない場合に、ＷＤ２２においてＷＵＳの存在を誤って検出する確率である。誤警報確率を固定することによって計算される不検出確率は、ＷＵＳが実際に送信された場合に当該ＷＵＳを検出しない確率である。
【０１１１】
これは以下のいくつかの具体例で詳述される：
【０１１２】
第１の例では、所要反復回数又は反復レベルは、表１及び表２に示すような予め定められたマッピングテーブルからＷＤ２２によって取得されうる。表１及び表２において、反復回数は、ＤＲＸサイクル及びアンテナ構成の両方に依存する。この例において、表１及び表２は、それぞれアンテナ構成Ａ及びアンテナ構成Ｂに基づいている。アンテナ構成Ａでは、単一の送信アンテナを使用してＷＵＳがセル内で送信されることが想定されている。アンテナ構成Ｂでは、２つの送信アンテナを使用してＷＵＳがセル内で送信されることが想定されている。表１及び表２の両方において、ＷＤ２２のＣＥレベルは、通常カバレッジレベルである。この例では、マッピングテーブルは、（ＷＤアクティビティレベルの例として）設定されたＤＲＸ長、及び送信アンテナ構成に基づいて決定されうる。これらのテーブルは、ＷＤ２２において、予め定められるか又はネットワークノード１６によって設定される。ＷＤ２２は、送信アンテナ構成とＷＤアクティビティレベル（例えば、ＤＲＸサイクル長）との間の関連付けに基づいて、適切な反復を用いてＷＵＳの復号を行う。
【０１１３】
【表１】
2021535659.tif 000003
【０１１４】
【表２】
2021535659.tif 000004
【０１１５】
この例において、表３及び表４も、それぞれアンテナ構成Ａ及びアンテナ構成Ｂに基づいている。しかし、表３及び４では、ＷＤのＣＥレベルは拡張カバレッジレベルである。
【０１１６】
これらの表は、あるＤＲＸサイクル長の間にＷＵＳを受信するための所要反復回数がアンテナ構成に大きく依存することを示している。例えば、表１及び２の結果は、通常カバレッジの下では送信アンテナ構成Ａで１％の誤警報率及び９９％の検出確率を達成するために３２回の反復が必要であり、一方、送信が送信アンテナ構成Ｂに基づく場合には２回で十分であることを示している。構成Ａは、単一送信アンテナベースのＷＵＳ送信と呼ばれ、構成Ｂは、２つの送信アンテナ送信に基づいている。
【０１１７】
【表３】
2021535659.tif 000005
【０１１８】
【表４】
2021535659.tif 000006
【０１１９】
この実施形態の第２の態様によれば、ＷＤ２２は更に、セルに関するＷＤ２２のカバレッジ拡張（ＣＥ）レベルを決定する。ＷＤ２２は更に、送信アンテナ構成、ＷＤアクティビティレベル及びＷＤ ＣＥレベルについての決定された情報に基づいて、十分な検出確率でＷＵＳを受信するために必要とされるＷＵＳ反復レベルを決定する。異なるＷＤアクティビティレベルでＷＵＳを送信するためのアンテナ構成の影響は、カバレッジレベルが増加することにつれて更に増加する。ＷＤ２２が、ＤＲＸサイクル長が設定されている間に、ディープ・カバレッジ拡張レベルの下で動作し始めると、同期精度も低下する。これは、十分な確率でＷＵＳを復号するために更に多くの回数の反復を必要とする。例えば、同じ送信アンテナ構成及び同じＷＤアクティビティレベルに対して、所要ＷＵＳ反復回数は、より小さいＣＥレベルの場合と比較して、より大きいＣＥレベルに対してより大きくなる。本質的に、ＷＤ２２は、いくつかの実施形態において、決定された送信アンテナ構成、ＷＤアクティビティレベル、及びＣＥレベルの間の関係に基づいて、反復レベルを選択する。
【０１２０】
ＷＤ実施形態のこの第２の態様は、表１及び表３を含む第２の例を使用して説明される。表１及び表３は、構成Ａ（即ち、単一アンテナ）である同じタイプのアンテナ構成に基づくものである。ただし、表１及び表３は、ＷＤ ＣＥレベルの点で相違している。表３は、拡張ＣＥレベルに関連付けられている。比較により、同じアンテナ構成及びＷＤ ＤＲＸサイクルに対する通常ＣＥレベルの下でのそれらと比較して、拡張ＣＥレベルの下では所要ＷＵＳ反復回数より高いことが示される。したがって、ＷＵＳ反復回数は、ＷＤのカバレッジレベルが拡張されているか又は通常であるかに依存するとみなされうる。
【０１２１】
ＷＤ実施形態のこの第２の態様は、表２及び表４を含む第３の例を使用して更に説明される。表２及び表４は、構成Ｂ（即ち、２アンテナ）である同じタイプのアンテナ構成に基づくものである。ただし、表２及び表４は、ＷＤ ＣＥレベルの点で相違している。表４は、拡張ＣＥレベルに関連付けられている。比較により、同じアンテナ構成及びＷＤ ＤＲＸサイクルに対する通常ＣＥレベルの下でのそれらと比較して、拡張ＣＥレベルの下では所要ＷＵＳ反復回数より高いことが示される。
【０１２２】
ＷＵＳを送信するために使用されるアンテナ構成に依存して、ＷＤ２２は、ＷＵＳを復号するために異なるアルゴリズムを使用しうる。当該異なるアルゴリズムは、例えば、以下のように特徴付けられうる：
●同じ／異なる時間インスタンス（又は周波数）で送信された複数のアンテナからの信号を受信し、受信された信号にダイバーシチ合成技術を適用する。複数のアンテナから受信して最も強いブランチを選択する。
●例えば、サブフレームごと、１つおきのサブフレームごと等に、複数のアンテナ間で受信を切り替える。
【０１２３】
異なるＷＤアクティビティレベルでＷＵＳを送信するためのアンテナ構成の影響は、カバレッジレベルが増加することにつれて更に増加する。ＷＤ２２が、ＤＲＸサイクル長が設定されている間に、ディープ・カバレッジ拡張レベルの下で動作し始めると、同期精度も低下する。これは、十分な確率でＷＵＳを復号するために更に多くの回数の反復を必要とする。表３及び４の結果は、１．２８ｍｓのＤＲＸサイクル長が設定された場合の拡張カバレッジの下で、ＷＤ２２が、アンテナ構成Ａを使用してＷＵＳを受信するために２５６回の反復を必要しうる一方、アンテナ構成Ｂが使用される場合には対応する反復回数は６４だけであることを示している。これは大きな相違点である。
【０１２４】
上記の原理は、任意の数のアンテナ構成、例えば４送信アンテナ、８送信アンテナ、１６送信アンテナ等に適用可能である。期待されるゲインは送信アンテナの数と共に増加しうるが、動作シナリオにも基づきうる。例えば、より長いＤＲＸサイクルでのカバレッジ拡張等の困難なシナリオの下では、アンテナ構成Ｂが、アンテナ構成Ａ等よりも（反復回数の点で）大きなゲインをもたすことができる。
【０１２５】
（表４に示されるような）所要反復回数と、ＤＲＸサイクル長及びアンテナ構成に対するそれらの関係は、本明細書において予め定められうる。それは、予め定められて、ＷＤ２２にシグナリングされうる。ＷＤ２２が、これをネットワークしらせてもよいし、又はネットワークノード１６が、いずれのテーブルを使用するかを知らせてもよい。
【０１２６】
取得された情報に基づくＷＵＳ信号の検出
最後に（ブロックＳ１５６，Ｓ１５８）、ＷＤ２２は、前のステップで決定されたＷＵＳ反復レベルに基づいて、かつ、手順Ａ又は手順Ｂのいずれの下で動作しているかに基づいて、ＷＵＳの復号を試みる。
【０１２７】
ＷＤ２２は、復号されたＷＵＳ信号の結果を使用して、後続のＤＬ制御チャネル（ｘＰＤＣＣＨ）を復号する試みを続けるかどうかを決定しうるか、又は、ＷＤ２２は、非アクティブモードに切り替わりうる（即ち、次のＷＤアクティブ期間まで受信機チェーンをオフにしうる）。
【０１２８】
ＷＤ２２は、ＷＵＳの復号に成功した場合、ページングを得るために、他の関連するＤＬチャネル（例えば、ＭＰＤＣＣＨ又はＮＰＤＣＨ）の復号を開始しうる。しかし、ＷＤ２２がＷＵＳの復号に成功できない場合、ＷＤ２２は、他の関連するＤＬチャネルの復号を試みることができず、代わりにスリープ状態に移行しうる。
【０１２９】
ネットワークノードにおける方法
図１２を参照して、ネットワークノード１６における方法を要約及び説明する。番号付けされていないボックスに示されているように、図１２のプロセスは、ＷＵＳがセルに対して設定されていると仮定する（ブロックＳ１５９）。
【０１３０】
送信アンテナ構成の決定
第１のステップ（ブロックＳ１６０）で、ネットワークノード１６は、ＷＵＳを送信するためにネットワークノード１６において使用されるＷＤ送信アンテナ構成に関する情報を取得／決定する。取得された情報は更に、ネットワークによってサポートされうるが、現在使用されていないアンテナ構成のタイプを含みうる。送信アンテナ構成の決定に関係するステップは、ＷＤについて説明したものと同様である。
【０１３１】
ＷＤアクティビティレベルの決定
第２のステップ（ブロックＳ１６２）で、ネットワークノード１６は、ＷＤ２２のアクティビティレベルを決定する。ＷＤアクティビティレベルの決定に関係するステップは、無線デバイスについて説明したものと同様である。
【０１３２】
ＷＵＳ送信パラメータの適応
第３のステップ（ブロックＳ１６４）で、ネットワークノード１６は、送信アンテナ構成及びＷＤアクティビティレベルに関する取得された情報に基づいて、ＷＵＳ送信パラメータを適応させる。適応処理は２要素から成る。第１に、ネットワークノード１６は、アンテナ構成及びＤＲＸ周期についての取得した情報に基づいて、所要反復回数を決定し、その反復レベルに従ってＷＵＳを送信する。反復レベルの決定に関係するステップは、ＷＤ２２について説明したものと同様である。
【０１３３】
第２に、この適応処理は、アンテナ構成及びＷＤアクティビティレベルに関する取得された情報に基づいて、最初に計画された又は以前に使用されたものに比べて修正された送信アンテナ構成を用いてＷＵＳを送信することも含みうる。例えば、ネットワークノード１６は、ＷＤアクティビティレベルが変化した場合に、アンテナ構成Ａからアンテナ構成Ｂに切り替えてもよく、ここで、構成Ｂは、より高度であり、かつ、複数のアンテナを含むものとする。より具体的な例では、ネットワークノード１６は、ＤＲＸサイクル長が１．２８秒から１０．２８秒に変化する場合に、１つの送信アンテナの代わりに２つの送信アンテナを使用してＷＵＳの送信を開始しうる。
【０１３４】
更に、いくつかの実施形態は、以下の特徴のうちの１つ以上を含みうる。
【０１３５】
（例えばＮＢ−ＩＯＴ ＷＤ）のＷＵＳ受信
いくつかの実施形態では、サービングＮＢ−ＩｏＴセル内でＷＵＳが設定されていることを条件として、ＷＵＳ受信に関してＷＤ（例えば、ＷＤ２２及び／又はＵＥ）に対して以下のうちの１つ以上が必要とされうる及び／又は設定されうる。
【０１３６】
ＷＤは、ＮＢ−ＩｏＴサービングセル内で設定される最小反復回数が以下の表（通常カバレッジの場合は表５、拡張カバレッジの場合は表６）に従うことを条件として、サービングＮＢ−ＩｏＴセルのＷＵＳ信号を受信することが可能でありうる。
【０１３７】
【表５】
2021535659.tif 000007
【０１３８】
【表６】
2021535659.tif 000008
【０１３９】
ＮＢ−ＩｏＴのＷＵＳ受信についてのシミュレーション結果
第３世代パートナシッププロジェクト（３ＧＰＰ）仕様（ＴＳ）３６．１３３，Ｖ１５．３．０のセクション４．６．２．９で定められている現行のリリース１５のＮＢ−ＩｏＴ ＷＵＳ受信要求条件は、決定されるべき多数の項目（ＴＢＤ）を含む。本開示では、これらのＴＢＤのうちの１つ以上を解決することを目的として、異なるＤＲＸサイクル長及びカバレッジレベルに対するＷＵＳ受信性能についてのシミュレーション結果を提示する。
【０１４０】
シミュレーションは、例えばＲ１−１７１４９９３における特定の合意されたＲＡＮ１シミュレーション仮定に基づいて実行されている。以下の表は、当該仮定のうちの１つ以上を提供する。
【表７】
2021535659.tif 000009
【０１４１】
図１３乃至図１６は、送信ダイバーシチ結果を示すシミュレーション結果を示している。
【０１４２】
図１７乃至図２０は、単一アンテナベースのＷＵＳ送信に対する結果を示すシミュレーション結果を示している。
【０１４３】
表８には結果をまとめている。
【０１４４】
【表８】
2021535659.tif 000010
【０１４５】
上記結果に基づけば、以下の見解が得られ、そのうちの１つ以上は、本開示の１つ以上の実施形態に含まれうる、及び／又は本開示の１つ以上の実施形態に影響を与えうる：
●見解＃１：通常カバレッジと拡張カバレッジとの間に所要ＷＵＳ反復回数の大きな差異がある。
●見解＃２：２送信アンテナを用いるＷＵＳ送信により、特に拡張カバレッジにおいて所要ＷＵＳ反復回数が大きく低減される。
●提案：ＲＡＮ４が、１送信アンテナ及び２送信アンテナの両方を前提として、最小ＷＵＳ受信要求条件を定めること。
【０１４６】
本開示では、リリース１５のｆｅＮＢ−ＩｏＴの最小ＷＵＳ受信性能のシミュレーション結果を提示する。上記結果に基づけば、以下の見解が得られ、そのうちの１つ以上は、本開示の１つ以上の実施形態に含まれうる、及び／又は本開示の１つ以上の実施形態に影響を与えうる：
●見解＃１：通常カバレッジと拡張カバレッジとの間に所要ＷＵＳ反復回数の大きな差異がある。
●見解＃２：２送信アンテナを用いるＷＵＳ送信により、特に拡張カバレッジにおいて所要ＷＵＳ反復回数が大きく低減される。
●提案＃１：ＲＡＮ４が、１送信アンテナ及び２送信アンテナの両方を前提として、最小ＷＵＳ受信要求条件を定めること。
●提案＃２：現在の最小ＷＵＳ受信要求条件におけるＴＢＤを、上記の表８の数値に置き換えること。
【０１４７】
いくつかの実施形態は、以下のもののうちの１つ以上を含みうる：
【０１４８】
実施形態Ａ１．
無線デバイス（ＷＤ）と通信するように構成されたネットワークノードであって、前記ネットワークノードは、
ＷＤアクティビティレベルを決定することと、
送信アンテナ構成を選択することと、
前記ＷＤアクティビティレベル及び前記送信アンテナ構成に基づいて、ウェイクアップ信号（ＷＵＳ）反復回数を決定することと、
前記決定されたＷＵＳ反復回数に従って、ＷＵＳを繰り返し前記ＷＤへ送信することと、
を行うように構成されている、及び／又は、を行うように構成されている無線インタフェース及び／又は処理回路を備えている、ネットワークノード。
【０１４９】
実施形態Ａ２．
実施形態Ａ１のネットワークノードであって、前記ＷＤアクティビティレベルは、間欠受信（ＤＲＸ）サイクル長、及びＷＤビットレートのうちの少なくとも１つを含む、ネットワークノード。
【０１５０】
実施形態Ａ３．
実施形態Ａ１及びＡ２のいずれかのネットワークノードであって、前記ＷＤアクティビティレベルは、ネットワーク同期の状態を示し、より低いアクティビティレベルはより少ない同期を示し、より高いアクティビティレベルはより良好な同期を示す、ネットワークノード。
【０１５１】
実施形態Ａ４．
実施形態Ａ１乃至Ａ３のいずれかのネットワークノードであって、前記送信アンテナ構成は、前記ＷＵＳを送信するために使用される数の送信アンテナを含む、ネットワークノード。
【０１５２】
実施形態Ａ５．
実施形態Ａ１乃至Ａ４のいずれかのネットワークノードであって、前記送信アンテナ構成に関する情報が前記ＷＤへ送信される、ネットワークノード。
【０１５３】
実施形態Ｂ１．
ネットワークノードにおいて実行される方法であって、前記方法は、
ＷＤアクティビティレベルを決定することと、
送信アンテナ構成を選択することと、
前記ＷＤアクティビティレベル及び前記送信アンテナ構成に基づいて、ウェイクアップ信号（ＷＵＳ）反復回数を決定することと、
前記決定されたＷＵＳ反復回数に従って、ＷＵＳを繰り返しＷＤへ送信することと、
を含む、方法。
【０１５４】
実施形態Ｂ２．
実施形態Ｂ１の方法であって、前記ＷＤアクティビティレベルは、間欠受信（ＤＲＸ）サイクル長、及びＷＤビットレートのうちの少なくとも１つを含む、方法。
【０１５５】
実施形態Ｂ３．
実施形態Ｂ１及びＢ２のいずれかの方法であって、前記ＷＤアクティビティレベルは、ネットワーク同期の状態を示し、より低いアクティビティレベルはより低い同期を示し、より高いアクティビティレベルはより高い同期を示す、方法。
【０１５６】
実施形態Ｂ４．
実施形態Ｂ１乃至Ｂ３のいずれかの方法であって、前記送信アンテナ構成は、前記ＷＵＳを送信するために使用される数の送信アンテナを含む、方法。
【０１５７】
実施形態Ｂ５．
実施形態Ｂ１乃至Ｂ４のいずれかの方法であって、前記送信アンテナ構成に関する情報が前記ＷＤへ送信される、方法。
【０１５８】
実施形態Ｃ１．
ネットワークノードと通信するように構成された無線デバイス（ＷＤ）であって、前記ＷＤは、
前記ネットワークノードから送信アンテナ構成に関する情報を受信することと、
前記ＷＤのアクティビティレベルを決定することと、
前記送信アンテナ構成及び前記アクティビティレベルに基づいて、ウェイクアップ信号（ＷＵＳ）反復回数を決定することと、
前記決定されたＷＵＳ反復回数に等しい回数受信されたＷＵＳ送信を合成することによってＷＵＳを復号することと、
を行うように構成されている、及び／又は、を行うように構成されている無線インタフェース及び／又は処理回路を備えている、ＷＤ。
【０１５９】
実施形態Ｃ２．
実施形態Ｃ１のＷＤであって、前記アクティビティレベルは、間欠受信（ＤＲＸ）サイクル長であり、及び前記ＷＵＳ反復回数は、反復率対ＤＲＸサイクル長のテーブルから選択され、当該テーブルから、前記ＷＵＳ反復回数が前記送信アンテナ構成に応じて選択される、ＷＤ。
【０１６０】
実施形態Ｃ３．
実施形態Ｃ２のＷＤであって、前記ＷＵＳ反復回数が選択される前記テーブルは、前記ＷＤのカバレッジレベルが拡張されるかどうかに更に依存し、前記ＷＵＳを復号するための所要ＷＵＳ反復回数は、カバレッジレベルとともに増加する、ＷＤ。
【０１６１】
実施形態Ｃ４．
実施形態Ｃ３のＷＤであって、前記ＷＵＳ反復回数が受信信号品質及び受信信号強度のうちの１つに依存するように、前記カバレッジレベルは前記受信信号品質及び前記受信信号強度のうちの１つとして表される、ＷＤ。
【０１６２】
実施形態Ｃ５．
実施形態Ｃ１乃至Ｃ４のいずれかのＷＤであって、前記ＷＵＳを復号するために使用されるアルゴリズムは、前記受信されたウェイクアップ信号にダイバーシチ合成技術を適用することと、複数のアンテナ間で受信を切り替えることとのうちの１つによって特徴付けられる、ＷＤ。
【０１６３】
実施形態Ｄ１．
無線デバイス（ＷＤ）において実行される方法であって、前記方法は、
前記ネットワークノードから送信アンテナ構成に関する情報を受信することと、
前記ＷＤのアクティビティレベルを決定することと、
前記送信アンテナ構成及び前記アクティビティレベルに基づいて、ウェイクアップ信号（ＷＵＳ）反復回数を決定することと、
前記決定されたＷＵＳ反復回数に等しい回数受信されたＷＵＳ送信を合成することによってＷＵＳを復号することと、
を含む、方法。
【０１６４】
実施形態Ｄ２．
実施形態Ｄ１の方法であって、前記アクティビティレベルは、間欠受信（ＤＲＸ）サイクル長であり、及び前記ＷＵＳ反復回数は、反復率対ＤＲＸサイクル長のテーブルから選択され、当該テーブルから、前記ＷＵＳ反復回数が前記送信アンテナ構成に応じて選択される、方法。
【０１６５】
実施形態Ｄ３．
実施形態Ｄ２の方法であって、前記ＷＵＳ反復回数が選択される前記テーブルは、前記ＷＤのカバレッジレベルが拡張されるかどうかに更に依存し、前記ＷＵＳを復号するための所要ＷＵＳ反復回数は、カバレッジレベルとともに増加する、方法。
【０１６６】
実施形態Ｄ４．
実施形態Ｄ３の方法であって、前記ＷＵＳ反復回数が受信信号品質及び受信信号強度のうちの１つに依存するように、前記カバレッジレベルは前記受信信号品質及び前記受信信号強度のうちの１つとして表される、方法。
【０１６７】
実施形態Ｄ５．
実施形態Ｄ１乃至Ｄ４のいずれかの方法であって、前記ＷＵＳを復号するために使用されるアルゴリズムは、前記受信されたウェイクアップ信号にダイバーシチ合成技術を適用することと、複数のアンテナ間で受信を切り替えることとのうちの１つによって特徴付けられる、方法。
【０１６８】
当業者によって理解されるように、本明細書に記載の概念は、方法、データ処理システム、コンピュータプログラムプロダクト、及び／又は、実行可能なコンピュータプログラムを格納したコンピュータ記憶媒体として実施されうる。したがって、本明細書に記載の概念は、完全にハードウェアの実施形態、完全にソフトウェアの実施形態、又は本明細書で一般的に「回路」若しくは「モジュール」と称されるあらゆるソフトウェア及びハードウェアの態様を組み合わせた実施形態の形式を取りうる。本明細書に記載の任意のプロセス、ステップ、アクション及び／又は機能は、ソフトウェア及び／又はファームウェア及び／又はハードウェアで実装されうる対応するモジュールによって実行されうる、及び／又は関連付けられうる。更に、本開示は、コンピュータによって実行可能な、媒体内に具現化されたコンピュータプログラムコードを有する、有形のコンピュータ使用可能記憶媒体上のコンピュータプログラムプログラムの形式を取りうる。ハードディスク、ＣＤ−ＲＯＭ、電子記憶デバイス、光記憶デバイス、又は磁気記憶デバイスを含む、任意の適切な有形のコンピュータ読取可能媒体が利用されうる。
【０１６９】
いくつかの実施形態は、本明細書において、方法、システム、及びコンピュータプログラムプロダクトのフローチャート図及び／又はブロック図を参照して説明されている。フローチャート図及び／又はブロック図の各ブロック、並びにフローチャート図及び／又はブロック図のブロックの組み合わせは、コンピュータプログラム命令によって実装できることを理解されたい。これらのコンピュータプログラム命令は、マシンを生成するために、汎用コンピュータ（それによって、専用コンピュータを作成するために）、専用コンピュータ、又は他のプログラマブル・データ処理装置のプロセッサに提供されてもよく、その結果、コンピュータ又は他のプログラマブル・データ処理装置のプロセッサを介して実行される命令が、フローチャート及び／又はブロック図の１つ以上のブロックで特定された機能／アクションを実装するための手段を作り出す。
【０１７０】
これらのコンピュータプログラム命令は更に、コンピュータ又は他のプログラマブル・データ処理装置に特定の方法で機能するように指示できる、コンピュータ読取可能メモリ又は記憶媒体に格納されてもよく、その結果、コンピュータ読取可能メモリに格納された命令は、フローチャート及び／又はブロック図の１つ以上のブロックで特定された機能／アクションを実装する命令手段を含む製品を生み出す。
【０１７１】
コンピュータプログラム命令は更に、コンピュータ実装プロセスを生成するために、コンピュータ又は他のプログラマブル・データ処理装置にロードされて、当該コンピュータ又は他のプログラマブル・データ処理装置上で、一連の動作ステップを実行させてもよく、その結果、当該コンピュータ又は他のプログラマブル・データ処理装置上で実行される当該命令は、フローチャート及び／又はブロック図の１つ以上のブロックで特定された機能／アクションを実装するためのステップを提供する。
【０１７２】
ブロックに記載された機能／動作は、動作図に記載された順序とは異なる順序で行われてもよいことを理解されたい。例えば、連続して示される２つのブロックは、実際には実質的に同時に実行されてもよく、又は、ブロックに含まれる機能／動作に応じて、場合によっては逆の順序で実行されてもよい。図のいくつかは通信の主方向を示すために通信経路上に矢印を含むが、通信は描かれた矢印と反対の方向に生じることがあることが理解されるべきである。
【０１７３】
本明細書に記載の概念の動作を実行するためのコンピュータプログラムコードは、Ｊａｖａ（登録商標）又はＣ＋＋等のオブジェクト指向プログラミング言語で記述されてもよい。しかし、本開示の動作を実行するためのコンピュータプログラムコードは、「Ｃ」プログラミング言語等の従来の手続き型プログラミング言語で記述されてもよい。プログラムコードは、ユーザのコンピュータ上で全体が実行されてもよく、ユーザのコンピュータ上で一部が実行されてもよく、スタンドアロン・ソフトウェアパッケージとして実行されてもよく、ユーザのコンピュータ上で一部が実行され、かつ、リモートコンピュータ上で一部が実行されてもよく、又は、リモートコンピュータ上で全体が実行されてもよい。後者のシナリオでは、リモートコンピュータは、ローカルエリアネットワーク（ＬＡＮ）又はワイドエリアネットワーク（ＷＡＮ）を介してユーザのコンピュータに接続されてもよく、又は、（例えば、インターネットサービスプロバイダを用いてインターネットを介して）外部コンピュータに接続されてもよい。
【０１７４】
多くの種々の実施形態が、上記の説明及び図面に関連して本明細書に開示されている。これらの実施形態のあらゆる組み合わせ及びサブコンビネーションを文字通りに説明及び例示することは、過度な繰り返し及び難読化になることが理解されよう。したがって、全ての実施形態は、任意の方法及び／又は組み合わせで組み合わされることができ、図面を含む本明細書は、本明細書に記載の実施形態の全ての組み合わせ及びサブコンビネーションの、並びにそれらを作成及び使用する方法及びプロセスの、完全な書面による説明を構成すると解釈されるべきであり、そのような任意の組み合わせ又はサブコンビネーションに対する請求項群をサポートすべきである。
【０１７５】
当業者であれば、本明細書に記載の実施形態が、本明細書において具体的に示され、上記で記載されたものに限定されないことを理解しよう。加えて、上記に反対の言及がなされていない限り、添付の図面の全てが縮尺どおりではないことに留意すべきである。上記の教示に照らして、以下の請求項群の範囲を逸脱することなく、様々な修正及び変形が可能である。
【図１】
2021535659.tif 000011
【図２】
2021535659.tif 000012
【図３】
2021535659.tif 000013
【図４】
2021535659.tif 000014
【図５】
2021535659.tif 000015
【図６】
2021535659.tif 000016
【図７】
2021535659.tif 000017
【図８】
2021535659.tif 000018
【図９】
2021535659.tif 000019
【図１０】
2021535659.tif 000020
【図１１】
2021535659.tif 000021
【図１２】
2021535659.tif 000022
【図１３】
2021535659.tif 000023
【図１４】
2021535659.tif 000024
【図１５】
2021535659.tif 000025
【図１６】
2021535659.tif 000026
【図１７】
2021535659.tif 000027
【図１８】
2021535659.tif 000028
【図１９】
2021535659.tif 000029
【図２０】
2021535659.tif 000030
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
ネットワークノード（１６）と通信するように構成された無線デバイス（ＷＤ）（２２）であって、前記ＷＤ（２２）は処理回路（８４）を備え、当該処理回路（８４）は前記ＷＤ（２２）に、
前記ネットワークノード（１６）の送信アンテナ構成に関する情報を決定することと、
前記ＷＤ（２２）のアクティビティレベルに関する情報を決定することと、
前記送信アンテナ構成及び前記アクティビティレベルに基づいた回数のＷＵＳ反復を含むＷＵＳ信号を受信することと、
を行わせるように構成されており、前記アクティビティレベルは間欠受信（ＤＲＸ）サイクル長である、ＷＤ。
【請求項２】
請求項１に記載のＷＤ（２２）であって、前記処理回路（８４）は更に、前記ＷＤ（２２）に、
前記送信アンテナ構成及び前記アクティビティレベルに基づいて、ウェイクアップ信号（ＷＵＳ）反復回数を決定することと、
ＷＵＳ信号を受信することと、を行わせるように構成されており、前記ＷＵＳ信号は、少なくとも前記決定された回数のＷＵＳ反復を含む、及び／又は
前記処理回路（８４）は更に、前記ＷＤ（２２）に、前記ＷＵＳ信号が受信された場合に、制御チャネルを監視させるように構成されている、ＷＤ。
【請求項３】
請求項１に記載のＷＤ（２２）であって、前記処理回路（８４）は更に、前記ＷＤ（２２）に、前記決定されたＷＵＳ反復回数に従って前記ＷＵＳ信号を復号させるように構成されることによって、前記ＷＤ（２２）に、前記ＷＵＳ信号を受信させるように構成されており、オプションとして、
前記処理回路（８４）は更に、前記ＷＤ（２２）に、前記決定されたＷＵＳ反復回数に等しい回数受信されたＷＵＳ送信を合成させるように構成されることによって、前記ＷＤ（２２）に、前記決定されたＷＵＳ反復回数に従って前記ＷＵＳ信号を復号させるように構成されている、ＷＤ。
【請求項４】
請求項１に記載のＷＤ（２２）であって、前記処理回路（８４）は更に、前記ＷＤ（２２）に、反復回数をＤＲＸサイクル長にマッピングするテーブルから前記ＷＵＳ反復回数を選択させるように構成されることによって、前記ＷＤ（２２）に、前記送信アンテナ構成及び前記アクティビティレベルに基づいて前記ＷＵＳ反復回数を決定させるように構成されており、オプションとして、
前記ＷＵＳ反復回数が選択される前記テーブルは、前記ＷＤ（２２）のカバレッジレベルが拡張されるかどうかに依存し、オプションとして、
前記ＷＵＳ反復回数が受信信号品質及び受信信号強度のうちの１つに依存するように、前記カバレッジレベルは前記受信信号品質及び前記受信信号強度のうちの１つとして表される、ＷＤ。
【請求項５】
請求項１に記載のＷＤ（２２）であって、前記ネットワークノード（１６）の前記送信アンテナ構成に関する前記情報は、前記ＷＵＳ信号を送信するために前記ネットワークノード（１６）によって使用される送信アンテナの数を含み、オプションとして、
前記送信アンテナの数は、１送信アンテナ及び２送信アンテナのうちの１つである、ＷＤ。
【請求項６】
請求項１に記載のＷＤ（２２）であって、前記処理回路（８４）は更に、前記ＷＤ（２２）に、前記アクティビティレベルが、５．１２秒に等しい、５．１２秒より大きい、及び５．１２秒より小さい、のうちの１つであることに基づいて、前記ＷＵＳ反復回数を決定させることによって、前記ＷＤ（２２）に、前記ＷＵＳ反復回数を決定させるように構成されている、及び／又は、
前記ＷＤ（２２）は、マシンタイプ通信（ＭＴＣ）ＷＤ、及び狭帯域インターネット・オブ・シングス（ＮＢ−ＩｏＴ）ＷＤのうちの１つである、ＷＤ。
【請求項７】
無線デバイス（ＷＤ）（２２）と通信するように構成されたネットワークノード（１６）であって、前記ネットワークノード（１６）は処理回路（６８）を備え、当該処理回路（６８）は前記ネットワークノード（１６）に、
前記ＷＤ（２２）のアクティビティレベルに関する情報を取得することと、
送信アンテナ構成を選択することと、
前記送信アンテナ構成及び前記アクティビティレベルに基づいて、ウェイクアップ信号（ＷＵＳ）反復回数を決定することと、
ＷＵＳ信号を送信することと、を行わせるように構成されており、前記ＷＵＳ信号は、少なくとも前記決定された回数のＷＵＳ反復を含み、
前記ＷＤ（２２）の前記アクティビティレベルは間欠受信（ＤＲＸ）サイクル長である、ネットワークノード。
【請求項８】
請求項７に記載のネットワークノード（１６）であって、前記処理回路（６８）は更に、前記ネットワークノード（１６）に、制御チャネルが送信される場合に前記ＷＵＳ信号を送信させるように構成されている、及び／又は、
前記処理回路（６８）は更に、前記ネットワークノード（１６）に、前記ＷＵＳ信号の送信の後に、前記制御チャネルを送信させるように構成されている、及び／又は、
前記選択された送信アンテナ構成は、前記ＷＵＳ信号を送信するために使用される、ある数の送信アンテナを含み、
前記処理回路（６８）は更に、前記ネットワークノード（１６）に、前記数の送信アンテナを使用して前記ＷＵＳ信号を送信することによって前記ＷＵＳ信号を送信することを行わせるように構成されている、及び／又は、
前記処理回路（６８）は更に、前記ネットワークノード（１６）に、前記選択された送信アンテナ構成に関する情報を前記ＷＤ（２２）へ送信させるように構成されている、ネットワークノード。
【請求項９】
請求項７に記載のネットワークノード（１６）であって、前記処理回路（６８）は更に、前記ネットワークノード（１６）に、反復回数をＤＲＸサイクル長にマッピングするテーブルから前記ＷＵＳ反復回数を選択させるように構成されることによって、前記ネットワークノード（１６）に、前記送信アンテナ構成及び前記アクティビティレベルに基づいて前記ＷＵＳ反復回数を決定させるように構成されており、オプションとして、
前記ＷＵＳ反復回数が選択される前記テーブルは、前記ＷＤ（２２）のカバレッジレベルが拡張されるかどうかに依存し、オプションとして、
前記ＷＵＳ反復回数が受信信号品質及び受信信号強度のうちの１つに依存するように、前記カバレッジレベルは前記受信信号品質及び前記受信信号強度のうちの１つとして表される、ネットワークノード。
【請求項１０】
請求項７に記載のネットワークノード（１６）であって、前記選択された送信アンテナ構成は、前記ＷＵＳ信号を送信するために選択された数の送信アンテナを含み、オプションとして、
前記選択された送信アンテナの数は、１送信アンテナ及び２送信アンテナのうちの１つである、ネットワークノード。
【請求項１１】
請求項７に記載のネットワークノード（１６）であって、前記処理回路（６８）は更に、前記ネットワークノード（１６）に、前記アクティビティレベルが、５．１２秒に等しい、５．１２秒より大きい、及び５．１２秒より小さい、のうちの１つであることに基づいて、前記ＷＵＳ反復回数を決定させることによって、前記ネットワークノード（１６）に、前記ＷＵＳ反復回数を決定させるように構成されている、及び／又は、
前記ＷＤ（２２）は、マシンタイプ通信（ＭＴＣ）ＷＤ、及び狭帯域インターネット・オブ・シングス（ＮＢ−ＩｏＴ）ＷＤのうちの１つである、ネットワークノード。
【請求項１２】
無線デバイス（ＷＤ）（２２）において実行される方法であって、前記方法は、
ネットワークノード（１６）の送信アンテナ構成に関する情報を決定すること（Ｓ１４２）と、
前記ＷＤ（２２）のアクティビティレベルに関する情報を決定すること（Ｓ１４４）と、
前記送信アンテナ構成及び前記アクティビティレベルに基づいた回数のＷＵＳ反復を含むＷＵＳ信号を受信すること（Ｓ１４８）と、
を含み、前記アクティビティレベルは間欠受信（ＤＲＸ）サイクル長である、方法。
【請求項１３】
請求項１２に記載の方法であって、更に、
前記送信アンテナ構成及び前記アクティビティレベルに基づいて、ウェイクアップ信号（ＷＵＳ）反復回数を決定すること（Ｓ１４６）と、
ＷＵＳ信号を受信すること（Ｓ１４８）と、を含み、前記ＷＵＳ信号は、少なくとも前記決定された回数のＷＵＳ反復を含む、及び／又は、
更に、前記ＷＵＳ信号が受信された場合に、制御チャネルを監視することを含む、及び／又は、
前記ＷＵＳ信号を受信することは更に、前記決定されたＷＵＳ反復回数に従って前記ＷＵＳ信号を復号することを含み、オプションとして、
前記決定されたＷＵＳ反復回数に従って前記ＷＵＳ信号を復号することは更に、前記決定されたＷＵＳ反復回数に等しい回数受信されたＷＵＳ送信を合成することを含み、オプションとして、
前記送信アンテナ構成及び前記アクティビティレベルに基づいて前記ＷＵＳ反復回数を決定することは更に、テーブルから前記ＷＵＳ反復回数を選択することを含み、前記テーブルは反復回数をＤＲＸサイクル長にマッピングし、オプションとして、
前記ＷＵＳ反復回数が選択される前記テーブルは、前記ＷＤ（２２）のカバレッジレベルが拡張されるかどうかに依存し、オプションとして、
前記ＷＵＳ反復回数が受信信号品質及び受信信号強度のうちの１つに依存するように、前記カバレッジレベルは前記受信信号品質及び前記受信信号強度のうちの１つとして表される、方法。
【請求項１４】
請求項１２に記載の方法であって、前記ネットワークノード（１６）の前記送信アンテナ構成に関する前記情報は、前記ＷＵＳ信号を送信するために前記ネットワークノード（１６）によって使用される送信アンテナの数を含み、オプションとして、
前記送信アンテナの数は、１送信アンテナ及び２送信アンテナのうちの１つである、方法。
【請求項１５】
請求項１２に記載の方法であって、前記ＷＵＳ反復回数を決定することは更に、前記アクティビティレベルが、５．１２秒に等しい、５．１２秒より大きい、及び５．１２秒より小さい、のうちの１つであることに基づいて、前記ＷＵＳ反復回数を決定することを含む、及び／又は、
前記ＷＤ（２２）は、マシンタイプ通信（ＭＴＣ）ＷＤ、及び狭帯域インターネット・オブ・シングス（ＮＢ−ＩｏＴ）ＷＤのうちの１つである、方法。
【請求項１６】
ネットワークノード（１６）において実行される方法であって、前記方法は、
無線デバイス（ＷＤ）（２２）のアクティビティレベルに関する情報を取得すること（Ｓ１３４）と、
送信アンテナ構成を選択すること（Ｓ１３６）と、
前記送信アンテナ構成及び前記アクティビティレベルに基づいて、ウェイクアップ信号（ＷＵＳ）反復回数を決定すること（Ｓ１３８）と、
ＷＵＳ信号を送信すること（Ｓ１４０）と、を含み、前記ＷＵＳ信号は、少なくとも前記決定された回数のＷＵＳ反復を含み、
前記ＷＤ（２２）の前記アクティビティレベルは間欠受信（ＤＲＸ）サイクル長である、方法。
【請求項１７】
請求項１６に記載の方法であって、前記ＷＵＳ信号を送信することは更に、制御チャネルが送信される場合に前記ＷＵＳ信号を送信することを含む、及び／又は、
更に、前記ＷＵＳ信号の送信の後に、前記制御チャネルを送信することを含む、及び／又は、
前記選択された送信アンテナ構成は、前記ＷＵＳ信号を送信するために使用される、ある数の送信アンテナを含む、
前記ＷＵＳ信号を送信することは更に、前記数の送信アンテナを使用して前記ＷＵＳ信号を送信することを含む、及び／又は、
更に、前記選択された送信アンテナ構成に関する情報を前記ＷＤ（２２）へ送信することを含む、方法。
【請求項１８】
請求項１６に記載の方法であって、前記送信アンテナ構成及び前記アクティビティレベルに基づいて前記ＷＵＳ反復回数を決定することは更に、
テーブルから前記ＷＵＳ反復回数を選択することを含み、前記テーブルは反復回数をＤＲＸサイクル長にマッピングし、オプションとして、
前記ＷＵＳ反復回数が選択される前記テーブルは、前記ＷＤ（２２）のカバレッジレベルが拡張されるかどうかに依存し、オプションとして、
前記ＷＵＳ反復回数が受信信号品質及び受信信号強度のうちの１つに依存するように、前記カバレッジレベルは前記受信信号品質及び前記受信信号強度のうちの１つとして表される、方法。
【請求項１９】
請求項１６に記載の方法であって、前記選択された送信アンテナ構成は、前記ＷＵＳ信号を送信するために選択された数の送信アンテナを含み、オプションとして、
前記選択された送信アンテナの数は、１送信アンテナ及び２送信アンテナのうちの１つである、方法。
【請求項２０】
請求項１６に記載の方法であって、前記ＷＵＳ反復回数を決定することは更に、前記アクティビティレベルが、５．１２秒に等しい、５．１２秒より大きい、及び５．１２秒より小さい、のうちの１つであることに基づいて、前記ＷＵＳ反復回数を決定することを含む、及び／又は、
前記ＷＤ（２２）は、マシンタイプ通信（ＭＴＣ）ＷＤ、及び狭帯域インターネット・オブ・シングス（ＮＢ−ＩｏＴ）ＷＤのうちの１つである、方法。
【国際調査報告】
2021535659.tif 000031
2021535659.tif 000032